(57)【要約】【課題】何を動作させるスイッチであるのか遊技者に気づき易く、かかるスイッチの操作によりどのような機能を奏するのか一見して判断することができるようにした操作性に優れた状態変化スイッチを設けたメダル貸出機を提供する。【解決手段】状態変化スイッチ(301)は、遊技メダルを移送していないときには移送部(200)により遊技メダルの移送を開始する移送開始スイッチ(304)として機能するとともに、移送部(200)により遊技メダルを移送しているときには移送部(200)による遊技メダルの移送を停止させる移送停止スイッチ(303)として機能するように制御され、遊技メダルの移送開始スイッチ(304)として機能するときと、遊技メダルの移送停止スイッチ(303)として機能するときとで、識別可能な表示部(302)を備えたことを特徴とする。【選択図】図１１
2008206732.tif 000002
【特許請求の範囲】
【請求項１】
遊技メダルを受け入れ可能な受け入れ投入部と、
前記受け入れ投入部から投入された遊技メダルを一時的に貯留するメダル貯め部と、
前記メダル貯め部に貯留した遊技メダルを移送する移送部と、
前記移送部に連続して遊技メダルを払い出す払い出し部とを備え、
前記移送部の作動によって前記メダル貯め部の遊技メダルが前記払い出し部を介して払い出されるように形成したメダル貸出機であって、
前記移送部からの遊技メダルの移送状態を変化させる状態変化スイッチを１個設け、
前記状態変化スイッチは、
遊技メダルを移送していないときには前記状態変化スイッチの押下によって前記移送部により遊技メダルの移送を開始する移送開始スイッチとして機能するとともに、
前記移送部により遊技メダルを移送しているときには前記状態変化スイッチの押下によって前記移送部による遊技メダルの移送を停止させる移送停止スイッチとして機能するように制御され、
前記状態変化スイッチは、遊技メダルの前記移送開始スイッチとして機能するときと、遊技メダルの前記移送停止スイッチとして機能するときとで、識別可能な表示部を備えたことを特徴とするメダル貸出機。
【請求項２】
前記状態変化スイッチの前記表示部は、
少なくとも一部が透光性のある材料で形成されて表面側に位置する移動体と、
前記移動体を支持し、前記移動体の移動に伴ってスイッチングを行うための支持体と、
前記移動体と前記支持体との間に異なる色を発色する少なくとも２種以上の発光体と、
前記発光体の表面側に位置して前記発光体の各色に対応する色別フィルターとを備え、
前記色別フィルターは、
前記発光体の各色の波長範囲に対応し、特定の色のみ透過しない特定色非透過領域と、
前記発光体の全ての色を透過する全透過領域とを備え、
前記特定色非透過領域及び前記全透過領域の境界線の形状により、前記発光体が発色する色毎に異なる標章を表面側に形成することを特徴とする請求項１記載のメダル貸出機。
【請求項３】
前記状態変化スイッチの前記表示部は、
少なくとも一部が透光性のある材料で形成されて表面側に位置する移動体と、
前記移動体を支持し、前記移動体の移動に伴ってスイッチングを行うための支持体と、
前記移動体と前記支持体との間に異なる色を発色する少なくとも２種以上の発光体と、
前記発光体の表面側に位置して前記発光体の各色に対応する色別フィルターとを備え、
前記色別フィルターは、
前記発光体の各色の波長範囲に対応し、特定の色のみ透過する特定色透過領域と、
前記発光体の全ての色を透過する全透過領域とを備え、
前記特定色透過領域及び前記全透過領域の境界線の形状により、前記発光体が発色する色毎に異なる標章を表面側に形成することを特徴とする請求項１記載のメダル貸出機。
【発明の詳細な説明】
【技術分野】
【０００１】
この発明は、スロットマシン用の遊技メダルを貸し出すメダル貸出機に関するものである。
【背景技術】
【０００２】
従来より、スロットマシンなどの遊技メダルを遊技媒体とする遊技機において、効率の良い遊技を行いたいという要請、あるいは、なるべく遊技メダルに手を触れないで遊技を行いたいという要請に基づき、本体の正面に一括投入開口とメダル送り装置を備えた搬送装置（一括投入機構を備えたもの）を取り付け、遊技メダルを直接遊技機に供給可能にしたメダル貸出機、いわゆる遊技機用台間機（サンドとも言う）が考案されている（特許文献１参照）。このメダル貸出機は、一括投入開口から投入された遊技メダル、又はメダル貸出機から払い出された遊技メダルが貯留されるメダル貯め部を有し、メダル貯め部の下層に貯留されている遊技メダルから徐々に搬送ベルトで移送し、移送される遊技メダルを分離ローラで一枚づつ分離して、隣接する遊技機（スロットマシン）に送り出すように形成されている。
【０００３】
また、貸し出しメダルを直接、隣接する遊技機に供給可能であるとともに、隣接する遊技機への遊技メダルの一括投入が可能な搬送装置を備えたメダル貸出機（遊技機用台間機、サンド）が検討されている（特許文献２参照）。このメダル貸出機は、一括投入皿と、一括投入皿に投入された遊技メダルを一枚ずつ分離し送り出すベルトを備えるメダル送り装置と、このメダル送り装置により送り出された遊技メダルを、隣接する遊技機のメダル投入口に移送する移送通路とを備えているものである。
また、そのような搬送装置を備えたメダル貸出機の上面に、搬送装置を遊技者が操作により作動させるための接触スイッチを備えたものが検討されている（特許文献３参照）。
【特許文献１】特開２００５−３４２４３３号公報（図１）
【特許文献２】特開２００５−１９２７２１号公報
【特許文献３】特開２００６−３６８号公報
【発明の開示】
【発明が解決しようとする課題】
【０００４】
しかし、上記した従来のメダル貸出機において、特許文献３に示すような接触スイッチでは、それが搬送装置の駆動に関連する接触スイッチであることを表示しないことには、遊技者には、それが搬送装置の駆動開始に伴う投入開始であり、また、搬送装置の駆動停止に伴う投入停止に関連するスイッチであるということに気づき難いといった問題点があった。
そして、駆動開始スイッチと、駆動停止スイッチとをそれぞれ表示して、配置することにより、いずれの動作のスイッチであるか判断することができるが、操作スイッチが２個となり、それらを選択して、その度毎に、指をかかる２個の操作スイッチ間で移動させることは煩わしいものとなる。一方、特許文献３に示すような１個の接触スイッチでは、駆動開始（投入開始）と、駆動停止（投入停止）との２つの動作を、遊技者が一見して理解することは容易ではない。すなわち、それが接触スイッチであることに気がついても、かかるスイッチを操作することにより、当該操作が、何が行われることを意味するのか理解し難いものとなった。特に、遊技ホールという周囲の騒音レベルが高い環境下で、かかる接触スイッチを操作することにより、搬送装置の駆動開始に伴う遊技メダルの投入開始なのか、或いは、搬送装置の駆動停止に伴う遊技メダルの投入停止なのか、判別し難いものになった。更に、現状の搬送装置の駆動状態を示す青色や、赤色のランプ等をスイッチ以外の他の場所に設けても、スイッチ箇所と離れた位置のランプが点灯或いは消灯しても、スイッチ操作との関連性が遊技者に理解し難いものになった。従来技術には、上述するような問題点があった。
【０００５】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、何を動作させるスイッチであるのか遊技者に気づき易く、かかるスイッチの操作によりどのような機能を奏するのか一見して判断することができるようにした操作性に優れた状態変化スイッチを設けたメダル貸出機を提供しようとするものである。
（請求項２）  請求項２記載の発明は、上記した請求項１記載の発明の目的に加え、次の点を目的とする。すなわち、請求項２記載の発明は、特定色非透過領域を有することで、発光体の異なる色の発色により、状態変化スイッチの表示部の表面側に表示位置が重なる領域を有するような複雑に異なる標章を区別して表示させることができて、状態変化スイッチの各機能に対応する標章を表示部に表示することが可能となり、状態変化スイッチを各機能する状態毎に視覚的に簡単に識別することが可能なメダル貸出機を提供しようとするものである。
【０００６】
（請求項３）  請求項３記載の発明は、上記した請求項１記載の発明の目的に加え、次の点を目的とする。すなわち、請求項３記載の発明は、特定色透過領域を有することで、発光体の異なる色の発色により、状態変化スイッチの表示部の表面側に表示位置が重なる領域を有するような複雑に異なる標章を区別して表示させることができて、状態変化スイッチの各機能に対応する標章を表示部に表示することが可能となり、状態変化スイッチを各機能する状態毎に視覚的に簡単に識別することが可能なメダル貸出機を提供しようとするものである。
【課題を解決するための手段】
【０００７】
（請求項１）
（特徴点）  請求項１記載の発明は、次の点を特徴とする。すなわち、遊技メダルを受け入れ可能な受け入れ投入部(48)と、前記受け入れ投入部(48)から投入された遊技メダルを一時的に貯留するメダル貯め部(44)と、前記メダル貯め部(44)に貯留した遊技メダルを移送する移送部(200)と、前記移送部(200)に連続して遊技メダルを払い出す払い出し部(70)とを備え、前記移送部(200)の作動によって前記メダル貯め部(44)の遊技メダルが前記払い出し部(70)を介して払い出されるように形成したメダル貸出機(2)であって、前記移送部(200)からの遊技メダルの移送状態を変化させる状態変化スイッチ(301)を１個設け、前記状態変化スイッチ(301)は、遊技メダルを移送していないときには前記状態変化スイッチ(301)の押下によって前記移送部(200)により遊技メダルの移送を開始する移送開始スイッチ(304)として機能するとともに、前記移送部(200)により遊技メダルを移送しているときには前記状態変化スイッチ(301)の押下によって前記移送部(200)による遊技メダルの移送を停止させる移送停止スイッチ(303)として機能するように制御され、前記状態変化スイッチ(301)は、遊技メダルの前記移送開始スイッチ(304)として機能するときと、遊技メダルの前記移送停止スイッチ(303)として機能するときとで、識別可能な表示部(302)を備えたことを特徴とする。
【０００８】
なお、ここで、「遊技メダル」とあるが、かかる円板状のメダルに限定されるものではなく、通常のコインでもよく、また、球状のボール球でもよく、また、スティック状のものでもよいものである。更に、遊技者に何らかの価値を付与するものであれば、特に特定の形状等のものに限定されるものではない。
また、ここで、「当選役」とは、予め定めた入賞態様の組み合わせを意味するものであって、具体的には、例えば、左、中、右の回転リール(23)の停止図柄が、それぞれ７、７、７となることにより、入賞可能となるような入賞態様の組み合わせを含むものである。
（作用）  本発明は、移送部(200)からの遊技メダルの移送状態を変化させる状態変化スイッチ(301)を１個設け、かかる１個の状態変化スイッチ(301)により、移送部(200)による遊技メダルの移送を開始する移送開始スイッチ(304)と、移送部(200)による遊技メダルの移送を停止させる移送停止スイッチ(303)との両方の機能を奏することができる。これにより、移送開始スイッチ(304)と、移送停止スイッチ(303)との２個の動作スイッチを設けて、それらを選択して、その度毎に、遊技者が指をかかる２個の操作スイッチ間で移動させるような煩わしい動作をする必要がない。このように、１つの状態変化スイッチ(301)だけで、両方の機能を奏することにより、移送開始する場合と、移動停止する場合とで、遊技者は指を移動させることなく、状態変化スイッチ(301)の上に置いたままで操作することができ、操作が容易となる。
【０００９】
更に、この状態変化スイッチ(301)は、移送開始スイッチ(304)として機能するときと、移送停止スイッチ(303)として機能するときとで、識別可能な表示部(302)を設けている。これにより、遊技者が、移送部(200)による遊技メダルの移送を開始するときと、移送部(200)による遊技メダルの移送を停止するときとを明確に区別することができる。しかも、かかる表示部(302)は、状態変化スイッチ(301)とは別に設けるものではなく、状態変化スイッチ(301)そのものに直接、形成されているため、別の箇所にランプ等の表示装置を設けて、そのランプ表示と、動作スイッチとの関連性に気づかないようなことはない。すなわち、表示部(302)の表示内容と、状態変化スイッチ(301)との動作スイッチとの関連性が、一見して瞬間的に、視覚的に判断することができる。
【００１０】
結果として、何を動作させるスイッチであるのか遊技者に気づき易く、かかるスイッチの操作によりどのような機能を奏するのか一見して瞬間的に視覚的に判断することができるようにした操作性に優れた状態変化スイッチを設けたメダル貸出機を提供することができる。
（請求項２）
（特徴点）  請求項２記載の発明は、上記した請求項１記載の発明の特徴点に加え、次の点を特徴とする。すなわち、前記状態変化スイッチ(301)の前記表示部(302)は、少なくとも一部が透光性のある材料で形成されて表面側に位置する移動体(310)と、前記移動体(310)を支持し、前記移動体(310)の移動に伴ってスイッチングを行うための支持体(320)と、前記移動体(310)と前記支持体(320)との間に異なる色を発色する少なくとも２種以上の発光体(330)と、前記発光体(330)の表面側に位置して前記発光体(330)の各色に対応する色別フィルター(340)とを備え、前記色別フィルター(340)は、前記発光体(330)の各色の波長範囲に対応し、特定の色のみ透過しない特定色非透過領域(350)と、前記発光体(330)の全ての色を透過する全透過領域(360)とを備え、前記特定色非透過領域(350)及び前記全透過領域(360)の境界線の形状により、前記発光体(330)が発色する色毎に異なる標章を表面側に形成することを特徴とする。
【００１１】
なお、ここで、「移動体(310)の移動に伴ってスイッチングを行う」とは、移動体(310)を移動させることにより、スイッチ（電流を流したり止めたりする）操作を行うことを意味する。
また、ここで、「特定色非透過領域」とは、特定波長吸収フィルターや特定波長反射フィルター等と呼ばれる光学用フィルターを含むものであって、光の特定の波長範囲の部分だけを吸収又は反射することにより、特定色を吸収又は反射して、当該特定色をできるだけ透過させないとともに、他の波長範囲の光をできるだけ透過させるようなものである。
また、ここで、「前記特定色非透過領域(350)及び前記全透過領域(360)の境界線の形状により、前記発光体(330)が発色する色毎に異なる標章を表面側に形成する」とは、前記特定色非透過領域(350)及び前記全透過領域(360)の境界線の形状により、標章を表面側に形成し、かかる標章は、前記発光体(330)が発色する色毎に異なる標章として表面側に表示されるように形成されているものである。具体的には、例えば、発光体(330)が青色に発色して発光している場合、青色のみが非透過の青色非透過領域(352)により、文字標章「投入開始」の文字部分を形成し、その文字以外の領域を全透過領域(360)により形成する。これにより、発光体(330)が青色に発色して発光されることにより、文字標章「投入開始」の文字部分は、青色のみが透過せず、黒い文字として表示され、文字以外の領域は、青色に発光する状態となる。一方、発光体(330)が赤色に発色して発光している場合、赤色のみが非透過の赤色非透過領域(351)により、文字標章「投入停止」の文字部分を形成し、その文字以外の領域を全透過領域(360)により形成する。これにより、発光体(330)が赤色に発色して発光されることにより、文字標章「投入停止」の文字部分は、赤色が透過せず、黒い文字として表示され、文字以外の領域は、赤色に発光する状態となる。
【００１２】
ここで、「色別フィルター(340)」は、発光体(330)の各色に対応して複数、形成することができる。例えば、発光体(330)が青色と赤色との２色を発光するような場合、色別フィルター(340)は、青色に対応する青色非透過フィルター(342)と、赤色に対応する赤色非透過フィルター(341)との複数、形成することができる。
また、「色別フィルター(340)」は、発光体(330)の各色に対応するものを１個、形成しても良い。具体的には、例えば、発光体(330)が青色と赤色との２色を発光するような場合、１枚の全透過領域(360)からなる透明板の前面側に、赤色のみ透過しない赤色非透過領域(351)を貼付し、透明板の背面側に、青色のみ透過しない青色非透過領域(352)を貼付しても良いものである。
【００１３】
（作用）  本発明は、色別フィルター(340)は、特定の色のみ透過しない特定色非透過領域(350)と、発光体(330)の全ての色を透過する全透過領域(360)とを備え、特定色非透過領域(350)及び全透過領域(360)の境界線の形状により、発光体(330)が発色する色毎に異なる標章を表面側に形成する。これにより、発光体(330)が異なる色を発色させることにより、状態変化スイッチ(301)の表示部(302)の表面側に異なる標章を表示させることができる。
したがって、状態変化スイッチ(301)の押下によって、移送開始スイッチ(304)として機能するときの発光体(330)の発色の色と、移送停止スイッチ(303)として機能するときの発光体(330)の発色の色とを異ならせて、各機能に対応する標章を表示部(302)に表示することが可能となり、状態変化スイッチ(301)を各機能する状態毎に視覚的に簡単に識別することが可能となる。
【００１４】
具体的に、図１３及び図１４に示すように、発光体(330)が発色する色の種類を２種類として、第１の特定の色（例えば、赤色）と、第２の特定の色（例えば、青色）とを設けるとともに、特定色非透過領域(350)として、かかる第１の特定の色（赤色）のみを透過しない例えば、赤色非透過領域(351)と、第２の特定の色（青色）のみを透過しない例えば、青色非透過領域(352)とを設けている場合について、以下に説明する。
先ず、図１３に示すように、前記発光体(330)の第２の特定の色（青色）を発色（発光）させると、当該第２の特定の色（青色）の波長範囲を透過しない特定色非透過領域(350)（青色非透過領域(352)）の部分は、かかる第２の特定の色（青色）が表面側に透過せず、暗色となり、かかる第２の特定の色（青色）を表面側から見ることはできない。そして、全透過領域(360)の部分では、かかる第２の特定の色（青色）が表面側に透過して、かかる第２の特定の色（青色）を表面側から見ることができる。結果として、表面側からは、全透過領域(360)により第２の特定の色（青色）に発色する領域と、特定色非透過領域(350)（青色非透過領域(352)）からなる暗色の領域とからなる境界線の形状により、所定の標章（例えば、「投入開始」の標章）が表面側に表示される。
【００１５】
なお、その際、第１の特定の色（赤色）のみ透過しない特定色非透過領域(350)（赤色非透過領域(351)）では、第２の特定の色（青色）は透過するため、かかる第２の特定の色（青色）の場合は、全透過領域(360)と同様に青色に発色し、赤色非透過領域(351)では標章を形成することはない。したがって、赤色非透過領域(351)及び青色非透過領域(352)とが重なった状態にあっても、青色発色の場合、赤色非透過領域(351)による標章が表示されることはなく、青色非透過領域(352)による標章のみが表示される。
一方、図１４に示すように、前記発光体(330)を第１の特定の色（赤色）に発色（発光）させると、当該第１の特定の色（赤色）の波長範囲を透過しない特定色非透過領域(350)（赤色非透過領域(351)）の部分は、かかる第１の特定の色（赤色）が表面側に透過せず、暗色となり、かかる第１の特定の色（赤色）を表面側から見ることはできない。そして、全透過領域(360)の部分では、かかる第１の特定の色（赤色）が表面側に透過して、かかる第１の特定の色（赤色）を表面側から見ることができる。結果として、表面側からは、全透過領域(360)により第１の特定の色（赤色）に発色する領域と、特定色非透過領域(350)（赤色非透過領域(351)）からなる暗色の領域とからなる境界線の形状により、所定の標章（例えば、「投入停止」の標章）が表面側に表示される。
【００１６】
なお、その際、上述した第２の特定の色（青色）のみ透過しない特定色非透過領域(350)（青色非透過領域(352)）では、第１の特定の色（赤色）は透過するため、かかる第１の特定の色（赤色）の場合は、全透過領域(360)と同様に赤色に発色し、青色非透過領域(352)では標章を形成することはない。したがって、赤色非透過領域(351)及び青色非透過領域(352)とが重なった状態にあっても、赤色発色の場合、青色非透過領域(352)による標章が表示されることはなく、赤色非透過領域(351)による標章のみが表示される。
結果として、一つの状態変化スイッチ(301)の表示部(302)に状態変化スイッチ(301)の機能状態を意味する複数の標章を、発光体(330)が発色する色毎に個別に表示させることができる。更に、文字や記号等の複雑で表示位置が重なる領域を有するような複雑な標章を区別して表示することができて、各機能する状態毎に視覚的に簡単に識別することができる。
【００１７】
（請求項３）
（特徴点）  請求項３記載の発明は、上記した請求項１記載の発明の特徴点に加え、次の点を特徴とする。すなわち、前記状態変化スイッチ(301)の前記表示部(302)は、少なくとも一部が透光性のある材料で形成されて表面側に位置する移動体(310)と、前記移動体(310)を支持し、前記移動体(310)の移動に伴ってスイッチングを行うための支持体(320)と、前記移動体(310)と前記支持体(320)との間に異なる色を発色する少なくとも２種以上の発光体(330)と、前記発光体(330)の表面側に位置して前記発光体(330)の各色に対応する色別フィルター(340)とを備え、前記色別フィルター(340)は、前記発光体(330)の各色の波長範囲に対応し、特定の色のみ透過する特定色透過領域(370)と、前記発光体(330)の全ての色を透過する全透過領域(360)とを備え、前記特定色透過領域(370)及び前記全透過領域(360)の境界線の形状により、前記発光体(330)が発色する色毎に異なる標章を表面側に形成することを特徴とする。
【００１８】
なお、ここで、「特定色透過領域(370)」とは、特定波長透過フィルター等と呼ばれる光学用フィルターを含むものであって、特定色を透過して、特定色、すなわち、光の特定の波長範囲の部分だけを透過して、当該特定色をできるだけ透過させるとともに、他の波長範囲の光をできるだけ透過させないようなものである。
また、ここで、「前記特定色透過領域(370)及び前記全透過領域(360)の境界線の形状により、前記発光体(330)が発色する色毎に異なる標章を表面側に形成する」とは、前記特定色透過領域(370)及び前記全透過領域(360)の境界線の形状により、標章を表面側に形成し、かかる標章は、前記発光体(330)が発色する色毎に異なる標章として表面側に表示されるように形成されているものである。具体的には、例えば、発光体(330)が青色に発色して発光している場合、赤色のみが透過の赤色透過領域(371)により、青色が透過せずに文字標章「投入開始」の文字部分を形成し、その文字以外の領域を青色が透過する全透過領域(360)により形成する。これにより、発光体(330)が青色に発色して発光されることにより、赤色透過領域(371)からなる文字標章「投入開始」の文字部分は、青色が透過せず、黒い文字として表示され、文字以外の領域は、青色に発光する状態となる。一方、発光体(330)が赤色に発色して発光している場合、青色のみが透過の青色透過領域(372)により、赤色が透過せずに文字標章「投入停止」の文字部分を形成し、その文字以外の領域を赤色が透過する全透過領域(360)により形成する。これにより、発光体(330)が赤色に発色して発光されることにより、青色透過領域(372)からなる文字標章「投入停止」の文字部分は、赤色が透過せず、黒い文字として表示され、文字以外の領域は、赤色に発光する状態となる。
【００１９】
ここで、「色別フィルター(340)」は、発光体(330)の各色に対応して複数、形成しても良い。例えば、色別フィルター(340)は、青色に対応する青色透過フィルター(344)と、赤色に対応する赤色透過フィルター(343)との複数、形成しても良い。
また、「色別フィルター(340)」は、発光体(330)の各色に対応するものを１個、形成いしても良い。具体的には、例えば、１枚の全透過領域(360)からなる透明板の前面側に、赤色のみ透過する赤色透過領域(371)を貼付し、透明板の背面側に、青色のみ透過する青色透過領域(372)を貼付しても良いものである。
（作用）  本発明は、色別フィルター(340)は、特定の色のみ透過する特定色透過領域(370)と、発光体(330)の全ての色を透過する全透過領域(360)とを備え、特定色透過領域(370)及び全透過領域(360)の境界線の形状により、発光体(330)が発色する色毎に異なる標章を表面側に形成する。これにより、発光体(330)が異なる色を発色させることにより、状態変化スイッチ(301)の表示部(302)の表面側に異なる標章を表示させることができる。
【００２０】
したがって、状態変化スイッチ(301)の押下によって、移送開始スイッチ(304)として機能するときの発光体(330)の発色の色と、移送停止スイッチ(303)として機能するときの発光体(330)の発色の色とを異ならせて、各機能に対応する標章を表示部(302)に表示することが可能となり、状態変化スイッチ(301)を各機能する状態毎に視覚的に簡単に識別することが可能となる。
具体的に、図１５及び図１６に示すように、発光体(330)が発色する色の種類を２種類として、第１の特定の色（例えば、赤色）と、第２の特定の色（例えば、青色）とを設けるとともに、特定色透過領域(370)として、かかる第１の特定の色（赤色）のみを透過して第２の特定の色（青色）を透過しない例えば赤色透過領域(371)と、第２の特定の色（青色）のみを透過して第１の特定の色（赤色）を透過しない例えば青色透過領域(372)とを設けている場合について、以下に説明する。
【００２１】
先ず、図１５に示すように、前記発光体(330)の第２の特定の色（青色）を発色（発光）させると、第１の特定の色（赤色）のみの波長範囲を透過して第２の特定の色（青色）を透過しない特定色透過領域(370)（赤色透過領域(371)）の部分は、かかる第２の特定の色（青色）が表面側に透過せず、暗色となり、かかる第２の特定の色（青色）を表面側から見ることはできない。そして、全透過領域(360)の部分では、かかる第２の特定の色（青色）が表面側に透過して、かかる第２の特定の色（青色）を表面側から見ることができる。結果として、表面側からは、全透過領域(360)により第２の特定の色（青色）に発色する領域と、特定色透過領域(370)（赤色のみ透過して青色を透過しない赤色透過領域(371)）からなる暗色の領域とからなる境界線の形状により、所定の標章（例えば、「投入開始」の標章）が表面側に表示される。
【００２２】
なお、その際、当該第２の特定の色（青色）のみ透過する特定色透過領域(370)（青色のみ透過する青色透過領域(372)）では、当該第２の特定の色（青色）のみは透過するため、かかる第２の特定の色（青色）のみ場合は、全透過領域(360)と同様に青色に発色し、青色透過領域(372)のみの領域では標章を形成することはない。したがって、赤色透過領域(371)及び青色透過領域(372)とが重なった状態にあっても、青色発色の場合、青色透過領域(372)による標章が表示されることはなく、赤色透過領域(371)による標章のみが表示される。
一方、図１６に示すように、前記発光体(330)を第１の特定の色（赤色）に発色（発光）させると、第２の特定の色（青色）のみの波長範囲を透過する特定色透過領域(370)（青色のみ透過して赤色は透過しない青色透過領域(372)）の部分は、かかる第１の特定の色（赤色）が表面側に透過せず、暗色となり、かかる第１の特定の色（赤色）を表面側から見ることはできない。そして、全透過領域(360)の部分では、かかる第１の特定の色（赤色）が表面側に透過して、かかる第１の特定の色（赤色）を表面側から見ることができる。結果として、表面側からは、全透過領域(360)により第１の特定の色（赤色）に発色する領域と、特定色透過領域(370)（青色透過領域(372)）からなる暗色の領域とからなる境界線の形状により、所定の標章（例えば、「投入停止」の標章）が表面側に表示される。
【００２３】
なお、その際、上述した第１の特定の色（赤色）のみ透過する特定色透過領域(370)（赤色のみ透過して青色は透過しない赤色透過領域(371)）では、第１の特定の色（赤色）は透過するため、かかる第１の特定の色（赤色）の場合は、全透過領域(360)と同様に赤色に発色し、赤色透過領域(371)のみの領域では標章を形成することはない。したがって、赤色透過領域(371)及び青色透過領域(372)とが重なった状態にあっても、赤色発色の場合、赤色透過領域(371)による標章が表示されることはなく、青色透過領域(372)による標章のみが表示される。
結果として、一つの状態変化スイッチ(301)の表示部(302)に状態変化スイッチ(301)の機能状態を意味する複数の標章を、発光体(330)が発色する色毎に個別に表示させることができる。更に、複雑で表示位置が重なる領域を有するような複雑な標章を区別して表示することができて、各機能する状態毎に視覚的に簡単に識別することができる。
【発明の効果】
【００２４】
本発明は、以上のように構成されているので、以下に記載されるような効果を奏する。
（請求項１）  請求項１記載の発明によれば、次のような効果を奏する。すなわち、請求項１記載の発明によれば、何を動作させるスイッチであるのか遊技者に気づき易く、かかるスイッチの操作によりどのような機能を奏するのか一見して判断することができるようにした操作性に優れた状態変化スイッチを設けたメダル貸出機を提供することができる。
（請求項２）  請求項２記載の発明によれば、上記した請求項１記載の発明の効果に加え、次のような効果を奏する。すなわち、請求項２記載の発明によれば、特定色非透過領域を有することで、発光体の異なる色の発色により、状態変化スイッチの表示部の表面側に表示位置が重なる領域を有するような複雑に異なる標章を区別して表示させることができて、状態変化スイッチの各機能に対応する標章を表示部に表示することが可能となり、状態変化スイッチを各機能する状態毎に視覚的に簡単に識別することが可能なメダル貸出機を提供することができる。
【００２５】
（請求項３）  請求項３記載の発明によれば、上記した請求項１記載の発明の効果に加え、次のような効果を奏する。すなわち、請求項３記載の発明によれば、特定色透過領域を有することで、発光体の異なる色の発色により、状態変化スイッチの表示部の表面側に表示位置が重なる領域を有するような複雑に異なる標章を区別して表示させることができて、状態変化スイッチの各機能に対応する標章を表示部に表示することが可能となり、状態変化スイッチを各機能する状態毎に視覚的に簡単に識別することが可能なメダル貸出機を提供することができる。
【発明を実施するための最良の形態】
【００２６】
（第１の形態）
（図面の説明）
図１乃至図１４は、本発明の第１の形態を示すものである。
図１は遊技機及びメダル貸出機の外観斜視図、図２はメダル貸出機の外観側面図、図３は搬送装置の縦断面図、図４は搬送装置及びメダル投入口の拡大斜視図、図５は状態変化スイッチの周辺の斜視図、図６はメダル送り装置の外観斜視図、図７はメダル送り装置の縦断面斜視図、図８は排出機構の開閉孔を開いた状態の縦断面図、図９は赤色ＬＥＤが発光した状態の状態変化スイッチの概念図、図１０は青色ＬＥＤが発光した状態の状態変化スイッチの概念図、図１１は状態変化スイッチの概略斜視図、図１２は状態変化スイッチの横断面図、図１３は青色ＬＥＤが発光している状態の色別フィルターの横断面概念図、図１４は赤色ＬＥＤが発光している状態の色別フィルターの横断面概念図をそれぞれ示す。
【００２７】
本形態における搬送装置3は、遊技メダルを投入するためのメダル投入口10を備えた遊技機1のメダル投入口10へ遊技メダルを投入するためのものである。この遊技機1は、遊技メダルを使用し、図柄表示手段としての回転リールを有するスロットマシンである。
なお、ここで、「前面」や「前方向」や「手前方向」とは、作業者（或いは遊技者）が、遊技機1及びメダル貸出機2の正面側の前に遊技機1及びメダル貸出機2の方に顔を向けて座って、或いは、立っているような場合のかかる作業者（或いは遊技者）から見た場合の奥から手前への方向を意味する。したがって、前方向や手前方向とは、遊技機1及びメダル貸出機2の奥から正面へ向かう方向を意味する。
【００２８】
また、「背面」や「後方向」や「奥方向」とは、作業者（或いは遊技者）が、遊技機1及びメダル貸出機2の正面側に遊技機1及びメダル貸出機2の方を向いて位置しているような場合のかかる作業者（或いは遊技者）から見たときの手前から奥への方向を意味する。したがって、後方向とは、遊技機1及びメダル貸出機2の正面から奥（後ろ）へ向かう方向を意味する。また、本明細書における「左方向」や「右方向」等の左右方向も、かかる遊技機1及びメダル貸出機2の前面の方を向いて位置している者から見た場合の右方向や、左方向を意味する。
また、メダル貸出機2において、「表面」や「表面側」とは、メダル貸出機2の内部から外方に向かう方向を意味する。
【００２９】
（遊技機1）
前記遊技機1は、いわゆるスロットマシンであって、図１に示すように、前面が開口する四角箱状の筐体及びその筐体の正面側に取り付けられた前扉13を有し、正面側には回転リール（図示せず）の図柄を視認可能な図柄表示窓14が形成されている。なお、前扉13は、特に図示していないが、上半分だけ開閉可能な上扉と、下半分だけ開閉可能な下扉とを備えているものである。また、この図柄表示窓14の下方であり遊技機1の略中央部は、スタートスイッチやストップスイッチなどの操作手段が設けられる操作部16となっている。そしてこの操作部16の正面右端部には、遊技メダルを投入するためのメダル投入口10が設けられている。なお、メダル投入口10の下方には、遊技メダルの真贋を判断すると共に投入メダルをカウントするためのメダルセレクター6が設けられている。そして、メダル投入口10から投入された遊技メダルは、メダルセレクター6を通過して、箱状のメダルタンク5に貯留される。また、遊技機1の下部には、払い出しメダルを貯留可能な下皿15が設けられている。そして、遊技に入賞して遊技メダルが払い出される場合には、このメダルタンク5内部に貯留されている遊技メダルが、下皿15へ払い出されるように形成されている。
【００３０】
ここで、メダル投入口10は、図４に示すように、上方から遊技メダルを１枚ずつ投入可能な上部投入開口11と、上部投入開口11の正面から向かって右側の側方へ凹溝状に連通する側方移送通路12とを有している。この側方移送通路12は、上部投入開口11から正面右側（メダル貸出機2側）に延設された樋状の通路であって、後述する投入口導入路60からメダル排出口66を介して送られてくる遊技メダルを受け入れ、上部投入開口11に移送するためのものである。
この遊技機1は、遊技メダルの投入を条件に遊技を開始することができるものである。すなわち、メダル投入口10から遊技メダルを投入し、或いは、予めメダル投入口10から遊技メダルを投入して内部に遊技メダルをクレジットしておき、ベットスイッチを押下して内部投入することにより、遊技を開始することができる。そして、この遊技機1は、スタートスイッチの操作により回転リールを回転させ、ストップスイッチの操作により回転リールを停止させることができる。このとき、複数の回転リールに表示された図柄が所定の位置態様に停止すると入賞となり、所定枚数の遊技メダルが下皿15へ払い出されるように形成されているものである。
【００３１】
（メダルタンク5）
前記メダルタンク5は、図１の点線で示すように、遊技機1の下部に位置して、メダル投入口10から投入された遊技メダルを内部に貯留するためのものである。そして、このメダルタンク5の下部には、図示していないが、周囲に、遊技メダルを挿入可能な円形の孔が空いた送り出し円板が配置されている。この送り出し円板が回転することにより、円形の孔に入り込んだ遊技メダルを、１枚ずつ、下皿15へ排出することができるように形成されている。
（メダルセレクター6）
前記メダルセレクター6は、メダル投入口10の下側の遊技機1内部に位置して、投入された遊技メダルを判別して、遊技開始の条件としての正規の遊技メダルをカウントするためのものである。
【００３２】
（メダル貸出機2）
前記メダル貸出機2は、遊技機1の間に配置される、いわゆる遊技機用台間機（メダルサンド）であって、遊技機1の側面側に隣接して設置される箱型の装置である。このメダル貸出機2は、金銭と引き替えに遊技メダルを貸し出すと共に、貸し出しメダル及び遊技者が投入する遊技メダルを遊技機1のメダル投入口10に投入するためのものである。
前記メダル貸出機2は、外箱20と、投入される紙幣を検知及び貯留する紙幣カウンター22と、遊技メダルをメダル貸出機2内部へ投入するために手前側に倒して開閉可能な開閉蓋4と、この開閉蓋4から投入された遊技メダルを貯留する貸し出しメダルホッパー26と、この貸し出しメダルホッパー26内部の遊技メダル及び後述する一括投入開口31に投入された遊技メダルを遊技機1のメダル投入口10へ投入可能な搬送装置3とを備えている。
【００３３】
前記開閉蓋4は、メダル貸出機2の前面側の上部に位置して、図１の実線で示すように、通常は所定の鍵（図示せず）がかかって閉じた状態になっているが、図１の点線で示すように、その鍵を開けると、その前面側が手前側に倒れて上方に向かって開口して遊技メダルを投入可能に形成されているものである。この遊技メダルは、遊技者に貸し出して遊技機1に移送するためのものである。
前記貸し出しメダルホッパー26は、貯留した遊技メダルを、紙幣カウンター22に投入された紙幣に応じて遊技メダルを貸し出すための貸し出しメダル払い出し装置としての役割も有しているものである。この貸し出しメダルホッパー26の内部には、遊技メダルを１枚ずつ送出可能な貸し出し円板27が形成されている。
【００３４】
前記紙幣カウンター22は、外箱20の正面下方に設けられた紙幣投入口21から投入された紙幣を読み取って、投入された紙幣を保存するものである。そして、紙幣カウンター22が紙幣を読み取ると、貸し出しメダル払い出し装置としての貸し出しメダルホッパー26の貸し出し円板27により、所定枚数の遊技メダルを払い出し通路42を介して、搬送装置3へ払い出させるように形成されている。
前記紙幣カウンター22には、特に図示していないが、紙幣投入口21に投入された紙幣を検知して、紙幣検知信号を出力する紙幣センサーを備えている。そして、前記貸し出しメダル払い出し装置としての貸し出しメダルホッパー26は、紙幣センサーからの紙幣検知信号の入力を契機として、遊技メダルを遊技者に貸し出すことができるように形成されている。
【００３５】
前記紙幣カウンター22の下には、カードカウンター24が配置され、紙幣投入口21の下には、カード投入口23が配置されている。これは、カード投入口23から遊技ホールで使用できるプリペイドカード（磁気カード、ＩＣカード等）を投入することにより、カードカウンター24内部で、紙幣の代わりに投入されたプリペイドカードに記録されているデータを読み取ることができるものである。
前記カードカウンター24には、特に図示していないが、カード投入口23に投入されたプリペイドカードを検知して、カード検知信号を出力するカードセンサーを備えている。そして、前記貸し出しメダル払い出し装置としての貸し出しメダルホッパー26は、カードセンサーからのカード検知信号の入力を契機として、遊技メダルを遊技者に貸し出すことができるように形成されている。
【００３６】
前記貸し出しメダル払い出し装置としての貸し出しメダルホッパー26は、紙幣センサーの紙幣検知信号又はカードセンサーのカート検知信号の出力を契機として、遊技メダルを遊技者に貸し出すためのものである。この貸し出しメダルホッパー26は、遊技メダルを払い出すためのいわゆるホッパー装置である。この貸し出しメダルホッパー26は、遊技メダルを貯留しておくためのメダルホッパーと、このメダルホッパーに貯留されている遊技メダルを１枚ずつ排出可能な貸し出し円板27とを有している。この貸し出し円板27は、駆動モータに回転可能に軸止されており遊技メダルが入り込み可能な孔が形成されている。そして、この孔に入った遊技メダルを、回転に伴い１枚ずつ装置の外に排出することができるような機構に形成されている。また、貸し出しメダルホッパー26には排出メダルをカウントするためのセンサーが設けられていて、所定枚数の遊技メダルを払い出した後、駆動モータが停止するように形成されている。
【００３７】
前記メダル貸出機2は、遊技メダルを受け入れ可能な受け入れ投入部48と、受け入れ投入部48から投入された遊技メダルを一時的に貯留するメダル貯め部44と、メダル貯め部44に貯留した遊技メダルを移送する移送部200と、この移送部200に連続して遊技メダルを払い出す払い出し部70（具体的には、投入口導入路60）とを備え、この移送部200の作動によってメダル貯め部44の遊技メダルが払い出し部70（投入口導入路60）を介して払い出されるように形成されている。以下に、更に具体的に説明する。
（搬送装置3）
前記搬送装置3は、遊技機1のメダル投入口10へ遊技メダルを投入するためのものであり、前記貸し出しメダルホッパー26から払い出される遊技メダル、及び遊技者が後述する一括投入開口31へ投入する遊技メダルを、遊技機1のメダル投入口10に連続する側方移送通路12へ搬送するための機構である。
【００３８】
具体的には、搬送装置3は、メダル貸出機2の外箱20の正面に取り付けられた本体カバー30と、この本体カバー30の内部に設けられて遊技メダルをベルト53により送り出すためのメダル送り装置40（図６）と、前記本体カバー30の正面側に取り付けられてメダル送り装置40から送り出された遊技メダルを遊技機1の側方移送通路12へ誘導するための払い出し部70としての投入口導入路60と、移送部200からの遊技メダルの移送状態を変化させる１個の状態変化スイッチ301と、搬送装置3のベルト53の回転駆動や、後述する排出機構80の開閉孔85の開閉等を制御するための駆動制御手段280とを備えている。
（本体カバー30）
前記本体カバー30は、図１、図２、図３に示すように、メダル貸出機2の外箱20の正面略中央部から手前側（遊技機1を正面から見た場合の手前側）に突出する箱形部材であり、上方に開口して、複数枚の遊技メダルを受け入れ可能な一括投入開口31が形成され、図３に示すように、内部にはメダル送り装置40が収納されている。
【００３９】
また、一括投入開口31の手前側には、図３、図４及び図５に示すように、上面に平坦部を有するカウンター状の張り出し部32が形成されている。この張り出し部32は、一括投入開口31の手前側及び側方に向かって張り出し、上方からみると略Ｕ字型に形成されている。そして、この一括投入開口31の周囲には、上から見て、両側部から手前に至るＵ字状に立設する立設部272が形成されている。一括投入開口31は、後述する本体ブロック41の受け入れ投入部48の落下孔271の上に位置するように設定されてあり、結果として、落下孔271の上方周囲に立設部272が位置するように形成されている。
そして、この搬送装置3の張り出し部32の前面側には、横方向に長尺状の長方形状であって、移送部200からの遊技メダルの移送状態を変化させる状態変化スイッチ301が１個形成されている。この状態変化スイッチ301は、ベルト搬送装置50の作動を停止させる移送停止スイッチ303と、ベルト搬送装置50の作動を開始させる移送開始スイッチ304との両方の機能を有しているものである。この状態変化スイッチ301は、押下することによって、ベルト搬送装置50を作動及び作動停止させるための押下スイッチ300として形成されている。なお、この状態変化スイッチ301に関しては、後で詳細に説明する。
【００４０】
前記状態変化スイッチ301の左右には、ベルト搬送装置50の作動状態や、ベルト搬送装置50内部の遊技メダルの存在状態の情報を遊技者に向かって表示する検知表示ランプ440が形成されている。
そして、本体カバー30の底部奥側には、図３及び図４に示すように、メダル送り装置40から排出される異物やキャンセルメダルを受け止める排出収納部93を有するメダル取り出し皿90が形成されている。このメダル取り出し皿90は、メダル貸出機2前面の開閉孔85の下に位置して、排出機構80の開閉孔85を開放した際には、開閉孔85を介して受け取ったメダル貯め部44の遊技メダルや投入された異物等を、外部から取り出し可能に形成されている。このメダル取り出し皿90は、図３に示すように、皿用ヒンジ95により本体カバー30の底部奥側に上下方向に回動可能に軸支されている。通常は、図３の実線で示すように閉じた状態にしており、排出されるゴミ等を貯留可能に形成され、遊技ホールの管理者がゴミ等を回収する際には、図３の一点鎖線で示すように、手前側に回転させて、手前側から手で簡単に貯留物を取り出すことができるように形成されている。
【００４１】
（検知表示ランプ440）  前記検知表示ランプ440は、状態変化スイッチ301の正面から向かって左側に位置する動作中表示ランプ441と、状態変化スイッチ301の正面から向かって右側に位置するメダル有り表示ランプ442とを備えている。
前記動作中表示ランプ441は、ベルト搬送装置50のベルト53の回転駆動中であるか否かを遊技者に向かって表示可能なものである。動作中表示ランプ441は、ベルト搬送装置50のベルト53が回転駆動中の場合は、内部のＬＥＤが発光して緑色の光が点灯状態となり、また、回転停止中の場合は、ＬＥＤは消灯状態となる。なお、この動作中表示ランプ441の上の本体カバー30には、特に図示していないが、点灯中の意味を遊技者に向かって案内する「動作中」文字が記載されている案内表示部としての案内シールが貼付されている。
【００４２】
前記メダル有り表示ランプ442は、内部の近接センサー400等の検知結果からベルト53上に遊技メダルが存在することを検知している場合には、かかる遊技メダルがベルト53に存在していることを遊技者に向かって表示可能なものである。メダル有り表示ランプ442は、ベルト53上に遊技メダルが残留していることを近接センサー400により検知した場合、内部のＬＥＤが点滅発光して、黄色の光が点滅状態となり、また、ベルト53上の遊技メダルを検知していない場合には、ＬＥＤは消灯状態となる。これにより、ベルト53上に遊技メダルを残したまま、遊技者が席を離れて遊技を終了してしまうようなことを防止することができる。なお、このメダル有り表示ランプ442の上の本体カバー30には、特に図示していないが、点灯中の意味を遊技者に向かって案内する「メダル有り」文字が記載されている案内表示部としての案内シールが貼付されている。
【００４３】
（メダル送り装置40）
前記メダル送り装置40は、前記本体カバー30に収納された遊技メダルを送り出すための装置である。前記メダル送り装置40は、図３に示すように、前記本体カバー30の内側に設けられる箱状の本体ブロック41と、この本体ブロック41の内部に遊技メダルを搬送するベルト搬送装置50（移送部200）と、ベルト搬送装置50の奥側下方に位置して残留した遊技メダル等を排出する排出機構80とを備えている。
（本体ブロック41）
前記本体ブロック41は、図３及び図６に示すように、長さ方向略中央部に、上方に開口する受け入れ投入部48を有している。この受け入れ投入部48は、四角形に開口して遊技メダルを落下させる落下孔271を設けているものである。この受け入れ投入部48の奥側には、上方に開口し内部において前記受け入れ投入部48と連通する払い出し通路42が設けられている。この払い出し通路42の上方に開口した部分に、貸し出しメダルホッパー26からの遊技メダルが投入される。
【００４４】
そして、受け入れ投入部48の下方には、受け入れ投入部48或いは払い出し通路42から投入された遊技メダルを一時的に貯留するメダル貯め部44が形成されている。また、本体ブロック41の前方下部には、メダル貯め部44の遊技メダルを移送するベルト53を有する移送部200（ベルト搬送装置50）が内蔵されている。そして、本体ブロック41の正面側は、ベルト搬送装置50により送り出された遊技メダルを払い出し部70としての投入口導入路60に１枚ずつ排出するためのメダル排出部47となっている。そして、前記払い出し通路42を形成する内壁の底部であって、メダル貯め部44の底面に、開閉自在な開閉孔85を有する排出機構80が設けられている。
【００４５】
前記受け入れ投入部48は、図３、図６及び図８に示すように、一括投入開口31から投入される遊技メダルを受け入れるための開口であり、開口幅のほぼ中央部に、横方向にわたって設けられた仕切棒100を有している。これは、投入される遊技メダルを、極力同一方向に揃えるためである。すなわち、この仕切棒100があることにより、受け入れ投入部48に遊技メダルが縦向き（遊技メダルの表裏面が左右方向となる向き）で投入されることがないので、ランダムに投入される遊技メダルの向きを、横向き（遊技メダルの表裏面が前後方向となる向き）にして落下させるようになるものである。このように落下した場合には、遊技メダルの向きが揃っているので、受け入れ投入部48の下方に位置する空間であるメダル貯め部44に、遊技メダルが平積みとなるよう貯留させることができ、ベルト搬送装置50により搬送しやすくなる。
【００４６】
また、図１に示すように、受け入れ投入部48の手前側端部には、ベルト搬送装置50の上方空間を、受け入れ投入部48の下方に位置するメダル貯め部44と、メダル貯め部44よりも手前側に位置するメダル戻り部45とに分ける移動調整弁43が取り付けられている。この移動調整弁43は、メダル貯め部44からメダル戻り部45へのメダル移動を阻止し、メダル戻り部45からメダル貯め部44へのメダル移動は適宜許容することにより、ベルト搬送装置50によるメダル移送をスムーズに行わせるためのものである。
また、図３、図６及び図８に示すように、受け入れ投入部48の左右には、受け入れ投入部48へ遊技メダル等が投入されたことを検知可能な光センサー410が形成されている。この光センサー410は、受け入れ投入部48の左右の一方側に発光ＬＥＤが配置されて、反対側のフォトトランジスタにより発光ＬＥＤの光を常時監視している。遊技メダルが受け入れ投入部48から投入されることにより、発光ＬＥＤの光が遮断されることで、遊技メダルの投入を検知することができるように形成されている。
【００４７】
前記払い出し通路42は、メダル貸出機2の貸し出しメダルホッパー26からの遊技メダルを受け入れて、前記メダル貯め部44に誘導するためのものである。払い出し通路42の底面は、奥側から手前側に向かって下り傾斜となっており、傾斜の前端部に開閉板82によって開閉可能な開閉孔85が形成されている。開閉板82が開閉孔85を閉じているときには、メダル貯め部44に遊技メダルが貯留される。そして、開閉板82が開閉孔85から開いた場合、メダル貯め部44又はベルト搬送装置50のベルト53上にあるゴミなどの異物や残留した遊技メダルは、キャンセル通路49から下方に落下する。このキャンセル通路49から落下した異物や遊技メダルは、いったんメダル取り出し皿90に貯留され、図１に示すように、メダル取り出し皿90を手前側に開くことによりそれらを外部に取り出すことができるようになっている。
【００４８】
ここで、メダル取り出し皿90は、図３に示すように、皿用ヒンジ95により回動可能に搬送装置3の下部に軸支されている。そして、図３の実線で示すように、メダル取り出し皿90を閉じた状態で、内部にキャンセルメダルや異物やゴミ等を貯留可能な排出収納部93が形成される。また、メダル取り出し皿90は、特に図示していないが、自己復帰機構により、開いた後には自動的に閉じるように形成されている。自己復帰機構は、メダル取り出し皿90を閉じる方向に付勢するバネを備えており、メダル取り出し皿90は通常において閉じている。そして、バネの付勢力に抗して開く方向すなわち手前側にメダル取り出し皿90を引き下げることにより、図３の２点鎖線で示すように、メダル取り出し皿90の排出収納部93が開放される。メダル取り出し皿90を開くときには、メダル取り出し皿90を押さえながら排出収納部93に貯留されている遊技メダル等を手で受け止めるようにする。貯留物をすべて排出し終えたら、メダル取り出し皿90から手を離せば、メダル取り出し皿90は自動的に閉まる。もちろん、このメダル取り出し皿90は、かかる自己復帰機構を設けずに、閉じた状態と、開いた状態との２段階の位置で、凹凸部により仮止め可能なものでも良い。
【００４９】
（移動調整弁43）
前記移動調整弁43は、図７に示すように、両端部から横方向に突出するピン46を有する支持部43Bに方形状の回動板43Aを取り付けた構成となっている。そして、本体ブロック41の両側面に形成された孔に前記ピン46を係合させることにより、ピン46を中心に前後方向に回動可能に形成されている。
また、本体ブロック41の内面には、移動調整弁43が垂下した状態で移動調整弁43のメダル戻り部45側に当接するストッパー43C（図３及び図８）が突設されている。これにより、移動調整弁43は、垂下状態からメダル貯め部44側へは回動できるが、垂下状態からメダル戻り部45側への回動を阻止される。
【００５０】
そして、前記回動板43Aは、ウレタンなどの弾性部材で形成されており、一定以上の加圧により弾性変形するようになっている。さらに、移動調整弁43は、回動板43Aが垂下状態で、回動板43Aの下端部から後述するベルト搬送装置50のベルト53の上面までの距離が、遊技メダルの直径よりも長くなるように形成してある。これは、回動板43Aの下方を遊技メダルが起立状態でも通過可能とするためである。
（移送部200（ベルト搬送装置50））
前記移送部200（ベルト搬送装置50）は、本体ブロック41の前方下部に内蔵されており、メダル貯め部44に投入又は払い出された遊技メダルを、水平状態（遊技メダルの表裏面が上下となる状態、すなわち遊技メダルの表面又は裏面が、上方向又は下方向に向かって臨むような状態）で１枚ずつ、投入口導入路60（払い出し部70）を経由してメダル排出口66へと送り出すためのものである。具体的には、移送部200（ベルト搬送装置50）は、一対のローラー51（手前側ローラー51A及び奥側ローラー51B）と、この手前側ローラー51A及び奥側ローラー51Bの間に掛け渡されたベルト53（移送手段）と、このベルト53の手前側上方に送出間隙54をあけて設置された逆転ローラー52（戻し手段）と、ローラー51,52を回転させるための駆動モータ55と、この駆動モータ55のモータ軸の回転をローラー51,52に伝達するための伝達手段56（図６）とを有している。
【００５１】
前記ローラー51は、正面側から見て前後に並列して設けられている。また、前記ベルト53は、二つのローラー51A,51Bに掛け渡された平ベルトであり、表面にはゴム等を被覆して、遊技メダルとの摩擦抵抗を大きくするよう形成してある。そして、図３に示すように、手前側ローラー51Aの方が、奥側ローラー51Bよりも若干高い位置に取り付けられているので、ベルト53の上面は手前側に向かってやや上り傾斜となっており、ローラー51を図３に示す黒矢印（内部が黒色に塗られた矢印）の方向に回転させることにより、ベルト53の上面が手前側に移動するようになっている。
前記ローラー51と逆転ローラー52は、伝達手段56（図６）により同時に回転するようになっている。伝達手段56は、駆動モータ55の駆動軸、手前側ローラー51A、逆転ローラー52にそれぞれ設けられたギヤと、これらの各ギヤを連結するベルトであって、逆転ローラー52はローラー51と同一方向に回転するので、ベルト53の上面の進行方向と、逆転ローラー52の下側面の移動方向とが逆になる。また、前記伝達手段56の調整（直径の異なるギヤの組み合わせ）により、逆転ローラー52の回転速度の方が、ローラー51の回転速度よりも早くなるように形成されている。
【００５２】
そして、図３に示すように、逆転ローラー52の下端とベルト53の上面との間には、遊技メダル１枚の厚みよりも大きく、遊技メダル２枚分の厚みよりは小さい送出間隙54が形成されている。このため、遊技メダルが逆転ローラー52の上に複数枚、重なって逆転ローラー52側へ搬送されてくると、一番下の１枚の遊技メダルを残して、２枚目より上の遊技メダルは、逆転する逆転ローラー52によって後方に向かって蹴飛ばされるものである。これにより、ベルト53の上面に乗っている遊技メダルを、１枚ずつ手前側に送り出すとともに、ベルト53の上方であって逆転ローラー52の後方にある遊技メダルをメダル戻り部45に蹴り出すようになっている。
【００５３】
なお、本形態における逆転ローラー52には、図７に示すように、断面略台形の撹拌溝58が軸方向に沿って形成されている。撹拌溝58は、溝の端部で遊技メダルを引っ掛けるようにして、ベルト53の上方に積み重なった遊技メダルを効果的に後方に蹴り上げる役割を果たすものである。
ベルト53の前方側は、投入口導入路60（払い出し部70）のメダル受け口67と近接している。そして、ベルト53の上面に乗っている遊技メダルは、前記送出間隙54を潜ってメダル排出部47から投入口導入路60（払い出し部70）へと運ばれる。
なお、特に図示していないが、ベルト53から投入口導入路60（払い出し部70）へ送り出す途中で、逆転ローラー52の取り付け位置を過ぎた後、ベルト53の側方の壁面からベルト53上に向かって突出する突出体を形成しても良い。この突出体は、ベルト53の搬送可能な有効巾を、使用する遊技メダルの直径に合致するように突出させるものである。ベルト53上の遊技メダルが、この突出体に接触することにより、遊技メダルの搬送位置を、所定の位置にすることができる。
【００５４】
前記移送部200は、ベルト53を正転（正回転、すなわち図１の黒矢印方向）することにより、遊技メダルを投入口導入路60（払い出し部70）へ移送させる移送方向と、ベルト53を逆転（逆回転、すなわち図３の黒矢印方向の逆回転方向）することにより、遊技メダルを投入口導入路60（払い出し部70）とは反対側のメダル貯め部44へ逆送させる逆送方向とのいずれの方向にも遊技メダルを移送可能に形成されている。すなわち、移送部200は、ベルト53を正転させた場合、ベルト53上のものを投入口導入路60（払い出し部70）へ移送し、ベルト53を逆転させた場合、ベルト53上のものを開閉孔85へ移送するように形成されている。
【００５５】
すなわち、ベルト搬送装置50は、ベルト53に乗った遊技メダルを、ベルト53が正転したときにベルト53前端からメダル投入口10へ続く投入口導入路60（払い出し部70）へ送り出すように形成されている。そして、ベルト搬送装置50は、ベルト53上の遊技メダルを、ベルト53が逆転したときにベルト53後端からキャンセル通路49へ落下させて外部へ排出可能に形成されている。
なお、移送部200のベルト53を逆回転する場合には、逆転ローラー52は、内部機構により回転しないように形成されている。
（排出機構80）
前記排出機構80は、上方に突設された略円筒形の可動軸83を通電状態に応じて上下動させるソレノイド81と、一方の端部が前記可動軸83に軸支され、本体ブロック41に固定された固定軸84を支点として上下方向に揺動可能に形成された開閉板82を有している。この開閉孔85は、メダル貯め部44及びキャンセル通路49の間に位置して、キャンセル通路49の開閉が可能なものである。そして、この開閉板82が固定軸84を中心に回動することにより、開閉孔85を開閉自在に形成するものである。
【００５６】
そして、可動軸83が下方に位置しているときには開閉板82が閉じた状態（図３参照）となり、可動軸83が上方に位置しているときには開閉板82が開いた状態（図８参照）となるよう形成されているものである。そして、ソレノイド81の作動で開閉板82を開くことにより、メダル送り装置40内部にある遊技メダルや異物などを、本体ブロック41の底面に形成されたキャンセル通路49から排出させることができるようになっている。排出機構80は、メダル貸出機2の上部の開閉蓋4を開けた内部に位置するリセットスイッチ450（図２）を、遊技ホールの店員が押下することにより、開閉板82が開くように形成されている。なお、リセットスイッチ450を押下して開閉板82が開く際には、ベルト53が逆回転に回転駆動するように形成されている。これにより、ベルト53の逆転で、ベルト53の上面の異物や、残留メダル等を、キャンセル通路49を介して、メダル受け皿90の排出収納部93内部へ落下させることができる。なお、このリセットスイッチ450は、開閉蓋4を開けなければ押下することはできず、遊技者が勝手に操作できないように形成されている。
【００５７】
（投入口導入路60（払い出し部70））
前記投入口導入路60は、移送部200に連続して、遊技メダルをメダル排出口66から払い出すための払い出し部70として機能するものである。この投入口導入路60は、遊技機1のメダル投入口10に遊技メダルを導入するために、遊技機1のメダル投入口10付近に設けて、遊技機1の側方から遊技メダルを前記メダル投入口10へ案内する側方移送通路12に、移送部200から遊技メダルを誘導させるためのものである。すなわち、前記投入口導入路60は、移送部200に連続して遊技メダルを払い出す払い出し部70であって、前記移送部200（ベルト搬送装置50）から送り出された遊技メダルを遊技機1のメダル投入口10に移送するためのものである。なお、側方移送通路12に掌を直行する方向に置いて、メダル排出口66から払い出される遊技メダルを、直接、手で受け止めることもできるものである。これにより、遊技者は、メダル排出口66から払い出される遊技メダルをメダル投入口10へ投入することなく、直接、回収することもできる。
【００５８】
前記投入口導入路60は、本体カバー30の正面側下部に取り付けられるベース部材62と、このベース部材62の前面側に位置して遊技メダルが通過可能なメダル移送スリットを有する通路部65と、ベース部材62の下端部に設けられたヒンジ63（図３）を介して、ベース部材62に回動自在に取り付けられたカバー部材61と、前面側の可視部210（図４）より視認可能な通路部65を照射可能な発光部（図示せず）とを備えている。
そして投入口導入路60は、メダル排出口66が遊技機1のメダル投入口10の側方移送通路12の端部と一直線上に配置されるよう設置される。この場合、メダル排出口66と側方移送通路12の端部とは必ずしも当接、合致する必要はなく、メダル排出口66から排出された遊技メダルが側方移送通路12に移動可能な間隙や高さの誤差があっても構わない。
【００５９】
（通路部65）
前記通路部65は、ベルト53から落下してきた遊技メダルを側方移送通路12へ案内するためのものである。前記通路部65は、ベース部材62の手前側に位置する固定板251と、この固定板251の手前側に位置する可動可能な可動板250と、前記固定板251の下部に位置して、遊技メダル１枚の厚みよりも僅かに大きい幅だけ手前側に突出した突出部252とを有している。
すなわち、図３に示すように、固定板251と可動板250との間には、突出部252が挟まれて、遊技メダル１枚分の厚さよりやや大きい厚みを有し、遊技メダルの直径よりもやや大きい幅を有することにより、遊技メダルの移送が可能な通路部65が形成されているものである。この通路部65は、固定板251、可動板250及び突出部252により、遊技メダルが通過可能なメダル移送スリットを形成しているものである。
【００６０】
前記通路部65は、メダル受け口67から遊技機1側に略Ｌ字状に屈曲して、その端部がメダル排出口66となっている。すなわち、通路部65は、メダル排出部47から排出された遊技メダルをメダル受け口67から受け入れ、メダル排出口66から１枚ずつ、側方移送通路12を介して、遊技機1のメダル投入口10側に向かって排出するようになっている。
（固定板251）
前記固定板251は、ベース部材62の手前側に固定され、正面視で略Ｌ字状に形成されているものである。前記固定板251の上端部は、図１に示すように、下方から上方に向かって奥方向に湾曲する湾曲部62Aとなっており、この湾曲部62Aはメダル送り装置40のメダル排出部47と連通するメダル受け口67を形成する。
【００６１】
さらに、固定板251の高さ方向略中央の奥側には、遊技メダルの通過を検知可能な詰まり検知手段230としての通過センサー231が設けられている。
（可動板250）
前記可動板250は、固定板251の前面側に位置するものであり、通路部65の手前側の壁を形成するものである。この通路部65の可動板250は、全て透明樹脂から形成されている。この可動板250の側端の上端より僅か下（具体的には、可動板250の全高さのうち、上端から５分の１の位置）には、可動板250の回動可能に軸支する可動板回転軸（図示せず）が形成されている。そして、この可動板回転軸には、可動板250の上端を手前側に引っ張り、下端を奥側に引っ張る方向に付勢するバネが形成されている。常時は、可動板250の下端は、突出部252に当接しているため、可動板250は鉛直方向に立設した状態を保持する。そして、後述する詰まり解除ボタン260が押されると、詰まり解除ボタン260が可動板250の上部を奥側に押し込むことになり、可動板250は、可動板回転軸を回転の中心として、上端を奥側、下端を手前側に回転する。これにより、可動板250と、固定板251との間の通路部65の通路内部で遊技メダルが詰まっているような場合、可動板250の下端と、固定板251との間の隙間が開いて、カバー部材61の詰まりメダル排出口68から外部へ排出される。
【００６２】
（詰まり検知手段230（通過センサー231））
詰まり検知手段230は、遊技メダルの接近や近傍の検出対象の有無を非接触で検出する近接スイッチ（センサー）からなる通過センサー231であって、通路部65における遊技メダルの通過に伴う移動情報や、遊技メダルが移動せずに存在する存在情報を検知可能なものである。
ここで、通過センサー231は、近接スイッチとして、検出領域内に磁界を発生させる誘導形近接スイッチを使用しているが、特に、これに限定されるものではなく、他の種類の近接スイッチを使用しても良いものである。例えば、通過センサー231として、検出領域内に電界を発生させる静電容量形近接スイッチを使用しても良く、また、検出領域内で超音波を発生させる超音波形近接スイッチを使用しても良く、また、可視、不可視光線の反射又は遮光のいずれかにより遊技メダルを検出する光電形近接スイッチを使用しても良く、また、磁気検出素子と磁石の組み合わせにより、遊技メダルが接近したときの磁束変化を利用して検出する磁気形近接スイッチを使用しても良いものである。
【００６３】
ここで、通過センサー231は、特に図示しないが、遊技メダルの中心が通過する通路部65の高さ方向の位置から高さ方向にずれた位置に設けてあるので、円形の遊技メダルが複数枚、連続した状態で通過しても通過センサー231の検知信号は必ず一定の波形を繰り返すものとなる。従って、メダル貸出機2の制御部においてこの波形を監視することにより、メダル移送の異常を検知することができる。例えば、通過センサー231が遊技メダルを検知し続けている場合には、通路部65の内部で遊技メダルが詰まっていることが想定される。このような場合には、詰まり解除ボタン260を押してメダル詰まりを解消することを促す警報などを行うと好適である。
【００６４】
一方、通過センサー231が遊技メダルを所定時間以上検出しない場合には、投入された遊技メダルをすべて送り終えたか、あるいはベルト搬送装置50の内部などでメダル詰まりが発生しているかにより、メダル送り装置40が遊技メダルを送り出していない場合、又は可動板250が可動しており通過センサー231の検出範囲から外れた場合の、いずれかの場合が想定される。そこで、このような場合には、ベルト搬送装置50の駆動モータ55の駆動を停止させたり、或いはベルト53の回転を逆転させるように設定されている。
（カバー部材61）
前記カバー部材61は、カバー部材61の下部のヒンジ63を中心として回転可能であるとともに通路部65の前面を覆うものである。
【００６５】
前記ヒンジ63（図３）は、カバー部材61と、ベース部材62とを回動可能に軸支可能なものである。カバー部材61及びベース部材62の両者が開いてしまうことがないように、カバー部材61をベース部材62側に係止する係止手段290を備えている。この係止手段290は、カバー部材61の上部裏側に設けたアンカー爪状の係止部291（図３）と、投入口導入路60の上方の本体カバー30の下面側に位置して、係止部291のアンカー爪状の部分が係止可能な非係止部292（図３）とから形成されている。なお、この係止部291は、幅方向の中央付近に開口する差し込み片開口部が形成されている。そして、この係止部291は、軟質樹脂から形成されてあり、弾性変形可能に形成されているものである。
【００６６】
前記カバー部材61の詰まり解除ボタン260の上には、図４に示すように、表裏に開口して、上述した係止手段290の係止状態を解除するための係止解除孔293が形成されている。この係止解除孔293に、帯板状の例えば鍵や棒状等のドライバー等の差し込み片を押し込むことにより、この差し込み片が上述した差し込み片開口部の上面を下方に向かって押し込む。これにより、押し込まれた差し込み片が、係止部291を下方に向かって弾性変形させて、アンカー爪状の係止部291が、非係止部292から外れる。結果として、係止手段290の係止状態を解除することができる。
前記カバー部材61は、通路部65を遊技者側から視認可能な可視部210を備えている。この可視部210は、図４に示すように、透明樹脂材を使用しており、外部から可視部210を通して通路部65を覗けるように形成されている。そして、カバー部材61の上部には、可動板250を可動させるための詰まり解除ボタン260が形成されている。
【００６７】
そして、カバー部材61の下部には、図３に示すように、下方に向かって開口する詰まりメダル排出口68が形成されている。この詰まりメダル排出口68は、詰まり解除ボタン260押下により可動板250を可動させて、可動板250と固定板251との間に詰まっていた遊技メダルを外部に排出するために開口しているものである。
（詰まり解除ボタン260）
前記詰まり解除ボタン260は、遊技メダルが通路部65で詰まったときに、可動板250の上部を押して可動板250を回動させて、通路部65内部に詰まった遊技メダルを下の詰まりメダル排出口68から排出させるためのものである。
【００６８】
（駆動制御手段280）
前記駆動制御手段280は、搬送装置3の移送部200のベルト53の回転駆動や、排出機構80の開閉孔85の開閉等を制御するためのものである。この駆動制御手段280は、その内部に配置した制御回路等の入出力結果に基づいて作動可能なものであり、また、遊技者による状態変化スイッチ301への接触によって、移送部200のベルト53を作動可能にしているものである。また、駆動制御手段280は、遊技ホールの店員が開閉蓋4を開けた後のリセットスイッチ450の押下によって、排出機構80の開閉板82の開放駆動を作動可能にしているものである。
【００６９】
図３に示すように、駆動制御手段280は、搬送装置3の背面側に固定されている。もちろん、この駆動制御手段280の取付位置は、これに限定されるものではなく、他の位置に設けても良いものであり、搬送装置3の背面側に固定せずに、外箱20の内部等に固定しても良いものである。
（状態変化スイッチ301）
前記状態変化スイッチ301は、移送部200からの遊技メダルの移送状態を変化させるためのものであって、本体カバー30の前面側に１個だけ形成されているものである。
この状態変化スイッチ301は、遊技メダルを移送していないときには状態変化スイッチ301の押下によって移送部200により遊技メダルの移送を開始する移送開始スイッチ304として機能するように形成されている。そして、この状態変化スイッチ301は、移送部200により遊技メダルを移送しているときには状態変化スイッチ301の押下によって移送部200による遊技メダルの移送を停止させる移送停止スイッチ303として機能するように形成されている。そして、この状態変化スイッチ301は、遊技メダルの移送開始スイッチ304として機能するときと、遊技メダルの移送停止スイッチ303として機能するときとで、遊技者により識別可能な表示部302を備えている。
【００７０】
前記状態変化スイッチ301の表示部302は、全体が透光性のある材料で形成されて表面側に位置する移動体310と、移動体310を支持して移動体310の移動に伴ってスイッチングを行うための支持体320と、移動体310及び支持体320の間に異なる色を発色する２種類の発光体330と、発光体330の表面側に位置して発光体の各色に対応する色別フィルター340とを備えている。
前記色別フィルター340は、発光体330の各色の波長範囲に対応し、特定の色のみ透過しない特定色非透過領域350と、発光体330の全ての色を透過する全透過領域360とを備えている。そして、特定色非透過領域350及び全透過領域360の境界線の形状により、発光体330が発色する色毎に異なる標章を表面側に形成することを特徴とするものである。以下に更に具体的に説明する。
【００７１】
前記移動体310は、図１２に示すように、全体が透光性のある透明樹脂から形成され、前面側に平板状の平板部313と、この平板部313の左右の背面側から奥側に向かって横断面形状が略Ｌ字状のＬ字部312とを備えている。前記平板部313には、移動体310の前後方向への移動とともに一緒に移動可能な色別フィルター340が２枚、平板部313の背面に固定されている。前記Ｌ字部312の左右には、横断面形状が三角形状の凸部311が外方に向かって突出している。前記Ｌ字部312の背面側のそれぞれには、支持体320の内面に後端が固定されているばね380の前端が固定されている。また、前記Ｌ字部312の背面側には、移動体側端子金具390が、後述する支持体320側の支持体側端子金具391と整合する位置に固定されている。この移動体側端子金具390と、支持体側端子金具391とが接触することにより、両者間に電気信号が流れて、オン状態の信号が駆動制御手段280へ出力可能に形成されているものである。
【００７２】
前記支持体320は、前記移動体310を前後方向に移動可能な状態で移動体310の奥側を全体として覆うような前面側が開放する直方体状に形成されているものである。支持体320の前面側の内部には、２個の発光体330が固定されている。前記支持体320の前面側の内部には、移動体310の移動体側端子金具390に整合するような位置に、支持体側端子金具391が固定されている。また、支持体320の前面側の左右には、移動体310側との間に挟み込まれるような状態で、ばね380が配置されている。前記ばね380は、移動体310を支持体320から常時、前面側に向かって押すような弾性力を発生しているものである。また、支持体320の左右の前面側は、内部側に折り返されてあり、移動体310の凸部311の前面側が当接して前面側へ飛び出して外れてしまわないように形成されている。
【００７３】
前記移動体310は、支持体320の前面側の内部に位置して、遊技者が移動体310の前面を、ばね380の弾性力に抗して後方に押下すると、移動体310は後方に向かって支持体320の内部を後方に進み、移動体側端子金具390が支持体側端子金具391に接続状態となる。そして、遊技者が移動体310から手を離すと、移動体310は、ばね380の弾性力により、前面側に移動し、移動体310の凸部311が支持体320の折り返し箇所に当接することにより、元の状態に戻って停止するように形成されている。
前記発光体330は、青色に発色して発光する青色ＬＥＤ331と、赤色に発色して発光する赤色ＬＥＤ332との２個備えている。状態変化スイッチ301を移送開始スイッチ304として機能させるときには、青色ＬＥＤ331を点灯又は点滅させ、状態変化スイッチ301を移送停止スイッチ303として機能させるときには、赤色ＬＥＤ332を点灯又は点滅させるように形成されている。
【００７４】
前記色別フィルター340は、青色ＬＥＤ331の発色する青色の波長範囲のみを透過しない領域を一部に有する青色非透過フィルター342と、赤色ＬＥＤ332の発色する赤色の波長範囲のみを透過しない領域を一部に有する赤色非透過フィルター341との２枚備えている。
前記青色非透過フィルター342は、発光体330の青色ＬＥＤ331の青色の波長範囲のみ透過しない特定色非透過領域350としての青色非透過領域352と、発光体330の赤色及び青色の両方の色を透過する全透過領域360とを備えている。そして、特定色非透過領域350としての青色非透過領域352と、全透過領域360との境界線の形状により、図１０及び図１１に示すように、「投入開始」の文字標章が形成されている。すなわち、「投入開始」の文字標章の文字領域を形成する文字の線巾の内部に、青色非透過領域352のフィルターが形成され、かかる文字標章以外の領域が、全透過領域360で構成されているものである。かかる場合に、図１３に示すように、青色ＬＥＤ331が点灯して、青色が発色すると青色非透過フィルター342の「投入開始」の文字領域だけが青色を透過せずに、暗色となり、その他の全透過領域360が青色に発光して、表面側の表示部302に「投入開始」の文字標章を形成することができるように形成されている。なお、その際、赤色非透過フィルター341の後述する赤色非透過領域351及び全透過領域360は、青色を透過するので、後述する赤色非透過フィルター341に形成されている文字標章「投入停止」の文字標章が表示部302に表示されることはない。
【００７５】
前記赤色非透過フィルター341は、発光体330の赤色ＬＥＤ332の赤色の波長範囲のみ透過しない特定色非透過領域350としての赤色非透過領域351と、発光体330の赤色及び青色の両方の色を透過する全透過領域360とを備えている。そして、特定色非透過領域350としての赤色非透過領域351と、全透過領域360との境界線の形状により、図９及び図１１に示すように、「投入停止」の文字標章が形成されている。すなわち、「投入停止」の文字標章の文字領域を形成する文字の線巾の内部に、赤色非透過領域351のフィルターが形成され、かかる文字標章以外の領域が、全透過領域360で構成されているものである。かかる場合に、図１４に示すように、赤色ＬＥＤ332が点灯して、赤色が発色すると赤色非透過フィルター341の「投入停止」の文字領域だけが赤色を透過せずに、暗色となり、その他の全透過領域360が赤色に発光して、表面側の表示部302に「投入停止」の文字標章を形成することができるように形成されている。なお、その際、青色非透過フィルター342の青色非透過領域352及び全透過領域360は、赤色を透過するので青色非透過フィルター342に形成されている文字標章「投入開始」が表示部302に表示されることはない。
【００７６】
なお、ここで、特定色非透過領域350は、特定色の波長範囲の光のみを透過させずに吸収するとともに、特定色の波長範囲以外の光を透過させる特定波長吸収フィルターであっても良く、また、特定色の波長範囲の光のみを透過させずに反射するとともに特定色の波長範囲以外の光を透過させる特定波長反射フィルターであっても良いものである。
状態変化スイッチ301の前面側の表示部302には、状態変化スイッチ301が移送開始スイッチ304として機能するときは、青色の背景色の中に「投入開始」の暗色の文字が浮かび上がり、状態変化スイッチ301が移送停止スイッチ303として機能するときは、赤色の背景色の中に「投入停止」の暗色の文字が浮かび上がるように形成されているものである。この状態変化スイッチ301の表示部302の表示内容は、搬送装置3の駆動を制御する駆動制御手段280により、ベルト搬送装置50のベルト53の駆動状態を考慮しながら、適宜、判断され、その結果として、青色ＬＥＤ331及び赤色ＬＥＤ332のいずれを点灯又は点滅するかが決定されている。そして、駆動制御手段280は、ベルト搬送装置50のベルト53の駆動状態と、移動体側端子金具390及び支持体側端子金具391の接触による電気信号とに基づいて、表示部302の表示を適宜、設定するように形成されている。
【００７７】
具体的には、搬送装置3のベルト53が移送駆動を停止している間は、駆動制御手段280は、赤色ＬＥＤ332を消灯して青色ＬＥＤ331を点灯し、表示部302に「投入開始」の文字標章を表示させている。そして、遊技者が、状態変化スイッチ301の移動体310を押し込んで、移動体側端子金具390及び支持体側端子金具391の接触による電気信号が駆動制御手段280に入力すると、駆動制御手段280は、ベルト搬送装置50のベルト53の駆動を開始する。そして、それと同時に、駆動制御手段280は、青色ＬＥＤ331を消灯させて赤色ＬＥＤ332を点灯させ、表示部302に「投入停止」の文字標章を表示させることになる。その後、かかる状態（ベルト搬送装置50のベルト53の回転駆動中）において、遊技者が、再び、状態変化スイッチ301の移動体310を押し込んで、移動体側端子金具390及び支持体側端子金具391の接触による電気信号が駆動制御手段280に入力すると、駆動制御手段280が、ベルト搬送装置50のベルト53の駆動を停止する。そして、それと同時に、駆動制御手段280は、赤色ＬＥＤ332を消灯させて青色ＬＥＤ331を点灯させ、表示部302に「投入開始」の文字標章を表示させることになる。なお、ＬＥＤの点灯又は点滅を適宜、組み合わせることにより、遊技者の興味を更に、引くことができて、好適である。
【００７８】
（遊技メダルの移送）
次に、上記構成を有する搬送装置3における遊技メダルの移送過程を説明する。
遊技者が、複数枚の遊技メダルを一括投入開口31から投入すると、投入された遊技メダルは、メダル貯め部44に貯留される。また、遊技者が、紙幣投入口21から紙幣を投入すると、紙幣カウンター22が紙幣を検知して、貸し出しメダルホッパー26から所定枚数の遊技メダルが、払い出し通路42を介して、貸し出される。また、遊技者が、カード投入口23から所定のプレペイドカードを投入すると、カードカウンター24がプリペイドカードの磁気カード或いはＩＣカードの記録内容を検知して、貸し出しメダルホッパー26から所定枚数の遊技メダルが、払い出し通路42を介して、貸し出される。そして、払い出し通路42を通った遊技メダルは、メダル貯め部44に貯留される。
【００７９】
そして、光センサー410や近接センサー400が遊技メダルを検知することにより、或いは、遊技者が、状態変化スイッチ301を押下することにより、或いは、ベルト53が回転駆動を開始する。なお、紙幣等の投入に連動して、ベルト53を回転駆動させるようにしても良い。
そして、ベルト53の後方部上面に乗っている遊技メダルが前方に移動し、その上方に貯まっているメダルも引きずられて、移動調整弁43の下方を潜ってメダル戻り部45に移動する。ここで、移動調整弁43は、ストッパー43Cに当接することにより、前方（メダル戻り部側）には回動しないので、メダル貯め部44の上部に貯留されている遊技メダルが、一気にメダル戻り部45に雪崩れ込むのを防ぐことができる。
【００８０】
ベルト53により前方に移送された遊技メダルのうち、ベルト53の上面に乗っている遊技メダルは、ベルト53と逆転ローラー52の下面との間の送出間隙54をすり抜けて、１枚ずつ、メダル排出部47へと移送される。一方、ベルト53の上方に重なっている遊技メダルは、逆転ローラー52と接触することにより、逆転ローラー52に設けられた撹拌溝58に引っかかり、上方後部のメダル戻り部45に蹴り戻される。逆転ローラー52は、ローラー51よりも高速回転しているので、効率よく遊技メダルを蹴り出すことができる。
ここで、メダル戻り部45に滞留する遊技メダルの量が多いと、逆転ローラー52によって後方に蹴り出すのに支障をきたし、送出間隙54でメダル詰まりが発生するおそれがある。しかし、移動調整弁43は、後方（メダル貯め部側）に回動可能に取り付けられているので、メダル戻り部45内の遊技メダルはメダル貯め部44に逆流し、メダル戻り部45の上方に空間が形成される。これにより、逆転ローラー52による遊技メダルの蹴り出しがスムーズに行われる。
【００８１】
移送部200（ベルト搬送装置50）から送り出された遊技メダルは、メダル排出部47から排出され、投入口導入路60（払い出し部70）の湾曲部62Aに誘導されつつメダル受け口67に入り、通路部65を通ってメダル排出口66から排出される。メダル排出口66は遊技機1のメダル投入口10の側方移送通路12と位置あわせされているので、遊技メダルは遊技機1の側方移送通路12を通って、遊技機1のメダル投入口10の上部投入開口11に投入される。
メダル投入口10から投入された遊技メダルは、メダルセレクター6を通過する。このメダルセレクター6により、通過する遊技メダルを、遊技開始の条件として投入される遊技メダルとしてカウントする。そして、遊技メダルは、遊技機1のメダルタンク5へ投入される。
【００８２】
このように、本形態によれば、遊技機1のメダル投入口10へ遊技メダルを投入するために、一括投入開口31又は貸し出しメダルホッパー26から投入された遊技メダルを搬送装置3によりメダル投入口10に投入することができ、遊技機1への遊技メダルの投入を、容易に行うことができる。
また、搬送装置3には、移動調整弁43が設けてあるので、メダル送り装置40内部でのメダル詰まりを起こしにくく、メダル送り装置40から排出するときにメダル詰まりを起こした場合でも、詰まり解除ボタン260を押下して、可動板250を下方側に向かって開くことにより容易にメダル詰まりを解消できる。そして、排出機構80とメダル取り出し皿90を設けてあるので、リセットスイッチ450を押下することによりメダル送り装置40内の残留メダルや異物なども容易に取り出すことができる。さらに、搬送装置の逆転ローラー52には撹拌溝58が形成されているので、ベルト搬送装置50内部に滞留している遊技メダルを効率よく送り出すことができ、メダル詰まりを防止することができるのである。
【００８３】
（作用）
本形態は、移送部200からの遊技メダルの移送状態を変化させる状態変化スイッチ301を前面側に１個だけ設け、かかる１個の状態変化スイッチ301により、移送部200による遊技メダルの移送を開始する移送開始スイッチ304と、移送部200による遊技メダルの移送を停止させる移送停止スイッチ303との両方の機能を奏することができる。これにより、移送開始スイッチ304と、移送停止スイッチ303との２個の動作スイッチを設けて、それらを選択して、その度毎に、遊技者が指をかかる２個の操作スイッチ間で移動させるような煩わしい動作をする必要がない。このように、１つの状態変化スイッチ301だけで、両方の機能を奏することにより、移送開始する場合と、移動停止する場合とで、遊技者は指を移動させることなく、状態変化スイッチ301の上に置いたままで操作することができ、操作が容易となる。
【００８４】
更に、この状態変化スイッチ301は、移送開始スイッチ304として機能するときと、移送停止スイッチ303として機能するときとで、識別可能な表示部302を設けている。これにより、遊技者が、移送部200による遊技メダルの移送を開始するときと、移送部200による遊技メダルの移送を停止するときとを明確に区別することができる。しかも、かかる表示部302は、状態変化スイッチ301の取付位置とは別の位置に設けるものではなく、状態変化スイッチ301そのものに直接、形成されているため、別の箇所にランプ等の表示装置を設けて、そのランプ表示と、動作スイッチとの関連性に気づかないようなことはない。すなわち、表示部302の表示内容と、状態変化スイッチ301との動作スイッチとの関連性が、遊技内容に熟練していない初心者であっても、一見して瞬間的、且つ視覚的に判断することができる。
【００８５】
更に、発光体330が発色する色の種類を２種類に設定して、第１の特定の色である赤色と、第２の特定の色である青色とを設けるとともに、特定色非透過領域350として、かかる第１の特定の色（赤色）のみを透過しない赤色非透過領域351と、第２の特定の色（青色）のみを透過しない青色非透過領域352とを設けている。
前記発光体330の青色ＬＥＤ331を発色（発光）させると、青色の波長範囲を透過しない特定色非透過領域350（青色透過領域372）の部分は、青色が表面側に透過せず、暗色となり、青色を表面側から見ることはできない。そして、全透過領域360の部分では、かかる青色が表面側に透過して、青色を表面側から見ることができる。結果として、表面側からは、全透過領域360により青色に発色する領域と、特定色非透過領域350（青色透過領域372）からなる暗色の領域とからなる境界線の形状により、「投入開始」の標章が表面側に表示される。
【００８６】
なお、その際、赤色のみ透過しない特定色非透過領域350（赤色非透過領域351）では、青色は透過するため、青色の場合は、全透過領域360と同様に青色に発色し、赤色非透過領域351では標章を形成することはなく、赤色非透過領域351で形成する「投入停止」の文字標章が表示されることはない。
一方、前記発光体330の赤色ＬＥＤ332を発色（発光）させると、赤色の波長範囲を透過しない特定色非透過領域350（赤色非透過領域351）の部分は、赤色が表面側に透過せず、暗色となり、赤色を表面側から見ることはできない。そして、全透過領域360の部分では、赤色が表面側に透過して、赤色を表面側から見ることができる。結果として、表面側からは、全透過領域360により赤色に発色する領域と、特定色非透過領域350（赤色非透過領域351）からなる暗色の領域とからなる境界線の形状により、「投入停止」の標章が表面側に表示される。
【００８７】
なお、その際、青色のみ透過しない特定色非透過領域350（青色非透過領域352）では、赤色は透過するため、赤色ＬＥＤ332が点灯している場合は、全透過領域360と同様に赤色に発色し、青色非透過領域352では標章を形成することはなく、青色非透過領域352で形成する「投入開始」の文字標章が表示されることはない。
上述したように本形態では、色別フィルター340は、特定の色のみ透過しない特定色非透過領域350と、発光体330の全ての色を透過する全透過領域360とを備え、特定色非透過領域350及び全透過領域360の境界線の形状により、発光体330が発色する色毎に異なる標章を表面側に形成する。これにより、発光体330が異なる色を発色させることにより、状態変化スイッチ301の表示部302の表面側に異なる標章を表示させることができる。すなわち、状態変化スイッチ301は、青色ＬＥＤ331を点灯させることにより、表示部302を、青色の背景色の中に「投入開始」の文字標章を暗色で表示させることができ、また、赤色ＬＥＤ332を点灯させることにより、表示部302を、赤色の背景色の中に「投入停止」の文字標章を暗色で表示させることができる。また、各色別フィルター340のうち、青色非透過フィルター342の標章と、赤色非透過フィルター341の標章とは、発光体330の各色を発色（発光）した際、他方の標章の影響を全く受けないため、標章同士の構成が重なっていても、何ら問題ない。これにより、いかなる複雑な文字や記号等の複雑な形状の標章であっても、両者を明確に識別して表示することができる。
【００８８】
したがって、状態変化スイッチ301の押下によって、移送開始スイッチ304として機能するときの発光体330の発色の色と、移送停止スイッチ303として機能するときの発光体330の発色の色とを異ならせて、各機能に対応する複雑で表示位置が重なる領域を有するような複雑な形状の標章を表示部302に区別して表示することが可能となり、状態変化スイッチ301を各機能する状態毎に視覚的に簡単に識別することが可能となる。
結果として、何を動作させるスイッチであるのか遊技者に気づき易く、かかるスイッチの操作によりどのような機能を奏するのか一見して瞬間的に視覚的に判断することができるようにした操作性に優れた状態変化スイッチを設けたメダル貸出機を提供することができる。
【００８９】
（第２の形態）
第１の形態では、色別フィルター340は、特定色非透過領域350と、全透過領域360とを備えていたが、本形態では、色別フィルター340は、発光体330の各色の波長範囲に対応し、特定の色のみ透過する特定色透過領域370と、発光体330の全ての色を透過する全透過領域360とを備え、特定色透過領域370及び全透過領域360の境界線の形状により、発光体330が発色する色毎に異なる標章を表面側に形成することを特徴とするものである。
すなわち、本形態は、第１の形態の特定色非透過領域350の代わりに、特定色透過領域370を使用するものである。この特定色透過領域370は、発光体330の各色の波長範囲に対応し、特定の色の波長範囲の光のみ透過するとともに、かかる特定の色の波長範囲以外の光を透過しないものである。その他の構成は、第１の形態と同一であり、以下に述べる以外の作用及び効果も同一であるため、それらの説明は省略し、主として相違する点を以下に説明する。
【００９０】
図１５及び図１６は、第２の形態に係るものであって、図１５は青色ＬＥＤが発光している状態の色別フィルターの横断面概念図、図１６は赤色ＬＥＤが発光している状態の色別フィルターの横断面概念図をそれぞれ示す。
前記色別フィルター340は、青色ＬＥＤ331の発色する青色の波長範囲のみを透過する領域を一部に有する青色透過フィルター344と、赤色ＬＥＤ332の発色する赤色の波長範囲のみを透過する領域を一部に有する赤色透過フィルター343との２枚備えている。
前記青色透過フィルター344は、発光体330の青色ＬＥＤ331の青色の波長範囲の光のみ透過して、青色以外の波長範囲の光を透過しない特定色透過領域370としての青色透過領域372と、発光体330の赤色及び青色の両方の色を透過する全透過領域360とを備えている。そして、特定色透過領域370としての青色透過領域372と、全透過領域360との境界線の形状により、「投入停止」の文字標章が形成されている。すなわち、「投入停止」の文字標章の文字領域を形成する文字の線巾の内部に、青色透過領域372のフィルターが形成され、かかる文字標章以外の領域が、全透過領域360で構成されているものである。かかる場合に、図１６に示すように、赤色ＬＥＤ332が点灯して、赤色が発色すると青色透過フィルター344の「投入停止」の文字領域だけが赤色を透過せずに、暗色となり、その他の全透過領域360が赤色に発光して、表面側の表示部302に「投入停止」の文字標章を形成することができるように形成されている。その際、赤色透過フィルター343の後述する赤色透過領域371及び全透過領域360は、赤色を透過するので、後述する赤色透過フィルター343に形成されている文字標章「投入開始」の文字標章が表示部302に表示されることはない。
【００９１】
前記赤色透過フィルター343は、発光体330の赤色ＬＥＤ332の赤色の波長範囲のみ透過して、赤色以外の波長範囲の光を透過しない特定色透過領域370としての赤色透過領域371と、発光体330の赤色及び青色の両方の色を透過する全透過領域360とを備えている。そして、特定色透過領域370としての赤色透過領域371と、全透過領域360との境界線の形状により、「投入開始」の文字標章が形成されている。すなわち、「投入開始」の文字標章の文字領域を形成する文字の線巾の内部に、赤色透過領域371のフィルターが形成され、かかる文字標章以外の領域が、全透過領域360で構成されているものである。かかる場合に、図１５に示すように、青色ＬＥＤ331が点灯して、青色が発色すると赤色透過フィルター343の「投入開始」の文字領域だけが青色を透過せずに、暗色となり、その他の全透過領域360が青色に発光して、表面側の表示部302に「投入開始」の文字標章を形成することができるように形成されている。その際、青色透過フィルター344の青色透過領域372及び全透過領域360は、青色を透過するので青色透過フィルター344に形成されている文字標章「投入停止」が表示部302に表示されることはない。
【００９２】
なお、ここで、特定色透過領域370は、特定色の波長範囲の光のみを透過させるとともに、特定色の波長範囲以外の光を透過させない特定波長透過フィルターである。
状態変化スイッチ301の前面側の表示部302には、状態変化スイッチ301が移送開始スイッチ304として機能するときは、青色の背景色の中に「投入開始」の暗色の文字が浮かび上がり、状態変化スイッチ301が移送停止スイッチ303として機能するときは、赤色の背景色の中に「投入停止」の暗色の文字が浮かび上がるように形成されているものである。この状態変化スイッチ301の表示部302の表示内容は、搬送装置3の駆動を制御する駆動制御手段280により、ベルト搬送装置50のベルト53の駆動状態を考慮しながら、適宜、判断され、その結果として、青色ＬＥＤ331及び赤色ＬＥＤ332のいずれを点灯又は点滅するかが決定されている。そして、駆動制御手段280は、ベルト搬送装置50のベルト53の駆動状態と、移動体側端子金具390及び支持体側端子金具391の接触による電気信号とに基づいて、表示部302の表示を適宜、設定するように形成されている。
【００９３】
具体的には、搬送装置3のベルト53が移送駆動を停止している間は、駆動制御手段280は、赤色ＬＥＤ332を消灯して青色ＬＥＤ331を点灯し、表示部302に「投入開始」の文字標章を表示させている。そして、遊技者が、状態変化スイッチ301の移動体310を押し込んで、移動体側端子金具390及び支持体側端子金具391の接触による電気信号が駆動制御手段280に入力すると、駆動制御手段280は、ベルト搬送装置50のベルト53の駆動を開始する。そして、それと同時に、駆動制御手段280は、青色ＬＥＤ331を消灯させて赤色ＬＥＤ332を点灯させ、表示部302に「投入停止」の文字標章を表示させることになる。その後、かかる状態（ベルト搬送装置50のベルト53の回転駆動中）において、遊技者が、再び、状態変化スイッチ301の移動体310を押し込んで、移動体側端子金具390及び支持体側端子金具391の接触による電気信号が駆動制御手段280に入力すると、駆動制御手段280が、ベルト搬送装置50のベルト53の駆動を停止する。そして、それと同時に、駆動制御手段280は、赤色ＬＥＤ332を消灯させて青色ＬＥＤ331を点灯させ、表示部302に「投入開始」の文字標章を表示させることになる。なお、ＬＥＤの点灯又は点滅を適宜、組み合わせることにより、遊技者の興味を更に、引くことができて、好適である。
【００９４】
（作用）
本形態に係る色別フィルター340は、特定の色（青色又は赤色）のみ透過する特定色透過領域370と、発光体330の全ての色を透過する全透過領域360とを備え、特定色透過領域370及び全透過領域360の境界線の形状により、発光体330が発色する色毎に異なる標章（「投入開始」又は「投入停止」）を表面側の表示部302に形成する。これにより、発光体330が異なる色を発色させることで、状態変化スイッチ301の表示部302の表面側に異なる標章を表示させることができる。
したがって、状態変化スイッチ301の押下によって、移送開始スイッチ304として機能するときの発光体330の発色の色と、移送停止スイッチ303として機能するときの発光体330の発色の色とを異ならせて、各機能に対応する標章を表示部302に表示することが可能となり、状態変化スイッチ301を各機能する状態毎に視覚的に簡単に識別することが可能となる。
【００９５】
具体的には、発光体330が発色する色の種類を２種類として、第１の特定の色である赤色と、第２の特定の色である青色とを設けるとともに、特定色透過領域370として、かかる第１の特定の色である赤色のみを透過して第２の特定の色である青色を透過しない赤色透過領域371と、第２の特定の色である青色のみを透過して第１の特定の色である赤色を透過しない青色透過領域372とを設けている。
前記発光体330の青色ＬＥＤ331を点灯して青色を発色（発光）させると、図１５に示すように、赤色のみの波長範囲を透過して青色を透過しない特定色透過領域370である赤色透過領域371は、青色が表面側に透過せず、暗色となり、青色を表面側から見ることはできない。そして、全透過領域360の部分では、青色が表面側に透過して、青色を表面側から見ることができる。結果として、表面側からは、全透過領域360により青色に発色する領域と、特定色透過領域370として赤色のみ透過して青色を透過しない赤色透過領域371からなる暗色の領域とからなる境界線の形状により、「投入開始」の標章が表面側に表示される。
【００９６】
なお、その際、図１５に示すように、特定色透過領域370として青色のみ透過する青色透過領域372では、青色のみは透過するため、青色ＬＥＤ331が発色して青色のみ場合は、全透過領域360と同様に青色を透過し、正面側から見て赤色透過領域371と重なっていない青色透過領域372のみの領域では「投入停止」の標章を形成することはない。
一方、図１６に示すように、前記発光体330の赤色ＬＥＤ332を点灯して赤色を発色（発光）させると、特定色透過領域370として、青色のみ透過して赤色は透過しない青色透過領域372の部分は、赤色ＬＥＤ332からの赤色が表面側に透過せず、暗色となり、赤色を表面側から見ることはできない。そして、全透過領域360の部分では、赤色ＬＥＤ332からの赤色が表面側に透過して、赤色を表面側から見ることができる。結果として、表面側からは、全透過領域360により赤色に発色する領域と、特定色透過領域370（青色透過領域372）からなる暗色の領域とからなる境界線の形状により、「投入停止」の標章が表面側に表示される。
【００９７】
なお、その際、図１６に示すように、赤色のみ透過する特定色透過領域370（赤色のみ透過して青色は透過しない赤色透過領域371）では、赤色は透過するため、赤色ＬＥＤ332が点灯する赤色の場合は、全透過領域360と同様に赤色に発色し、青色透過領域372と重なっていない赤色透過領域371のみの領域では「投入開始」の標章を形成することはない。
したがって、状態変化スイッチ301の押下によって、移送開始スイッチ304として機能するときの発光体330の発色の色と、移送停止スイッチ303として機能するときの発光体330の発色の色とを異ならせて、各機能に対応する複雑で表示位置が重なる領域を有するような複雑な形状の標章を表示部302に区別して表示することが可能となり、状態変化スイッチ301を各機能する状態毎に視覚的に簡単に識別することが可能となる。
【００９８】
結果として、何を動作させるスイッチであるのか遊技者に気づき易く、かかるスイッチの操作によりどのような機能を奏するのか一見して瞬間的に視覚的に判断することができるようにした操作性に優れた状態変化スイッチを設けたメダル貸出機を提供することができる。
（第３の形態）
図１７及び図１８は、第３の形態であって、図１７は青色ＬＥＤが発光している状態の色別フィルターの横断面概念図、図１８は赤色ＬＥＤが発光している状態の色別フィルターの横断面概念図をそれぞれ示す。
【００９９】
上述した第１の形態では、文字標章の文字内部の領域に、特定色非透過領域350を形成し、文字以外の領域を全透過領域360に形成していたが、本形態では、文字領域と文字以外のフィルター構成を逆にしたものであって、文字標章の文字内部の領域に、全透過領域360を形成し、文字以外の領域を特定色非透過領域350に形成していることに特徴を有するものである。すなわち、色別フィルター340の青色非透過フィルター342では、文字標章の文字内部の領域に、全透過領域360を形成し、文字以外の領域の領域に、青色非透過領域352を形成する。そして、色別フィルター340の赤色非透過フィルター341では、文字標章の文字内部の領域に、全透過領域360を係止し、文字以外の領域を赤色非透過領域351に形成する。それ以外の構成は、第１の形態と同一に形成する。これにより、青色ＬＥＤ331を点灯すると、「投入開始」の標章の文字領域の文字内部が「進め（ＧＯ）」等の観念を有する青色に発光するとともに、文字の周囲が暗色になる。また、赤色ＬＥＤ332を点灯すると、「投入停止」の標章の文字領域の文字内部が「止まれ（ＳＴＯＰ）や禁止」等の観念を有する赤色に発光するとともに、文字の周囲が暗色になる。結果として、第１の形態で説明した作用及び効果を奏することができる上に、更に、表示したい文字標章自体を、直接、当該機能を想起させる観念の色に発光させることができて、表示部302の表示内容を強烈に示すことができる。
【０１００】
（第４の形態）
図１９及び図２０は、第４の形態であって、図１９は青色ＬＥＤが発光している状態の色別フィルターの横断面概念図、図２０は赤色ＬＥＤが発光している状態の色別フィルターの横断面概念図をそれぞれ示す。
上述した第２の形態では、文字標章の文字内部の領域に、特定色透過領域370を形成し、文字以外の領域を全透過領域360に形成していたが、本形態では、文字領域と文字以外のフィルター構成を逆にしたものであって、文字標章の文字内部の領域に、全透過領域360を形成し、文字以外の領域の領域に特定色透過領域370を形成していることに特徴を有するものである。すなわち、色別フィルター340の青色透過フィルター344では、文字標章の文字内部の領域に、全透過領域360を形成し、文字以外の領域を青色透過領域372に形成する。そして、色別フィルター340の赤色透過フィルター343では、文字標章の文字内部の領域に、全透過領域360を形成し、文字以外の領域を赤色透過領域371に形成する。それ以外の構成は、第２の形態と同一に形成する。これにより、青色ＬＥＤ331を点灯すると、「投入開始」の標章の文字領域の文字内部が「進め（ＧＯ）」等の観念を有する青色に発光するとともに、文字の周囲が暗色になる。また、赤色ＬＥＤ332を点灯すると、「投入停止」の標章の文字領域の文字内部が「止まれ（ＳＴＯＰ）や禁止」等の観念を有する赤色に発光するとともに、文字の周囲が暗色になる。結果として、第２の形態で説明した作用及び効果を奏することができる上に、更に、表示したい文字標章自体を、直接、当該機能を想起させる観念の色に発光させることができて、表示部302の表示内容を強烈に示すことができる。
【０１０１】
（第５の形態）
図２１は、第５の形態であって、状態変化スイッチの概略斜視図を示すものである。
本形態は、第１の形態の特定色非透過領域350及び全透過領域360の境界線の形状により、発光体330が発色する色毎に表示部302に表示される標章を「投入開始」や「投入停止」の文字標章から、三角形や円形の図形に変更したものである。具体的には、赤色非透過フィルター341には、「投入停止」の文字標章の代わりに、三角形の図形の記号を配置している。そして、この三角形の内部領域を、赤色非透過領域351で形成し、三角形の図形記号の周囲を、全透過領域360で形成しているものである。
【０１０２】
一方、青色非透過フィルター342には、「投入開始」の文字標章の代わりに、円形（マル）の図形の記号を配置している。そして、この円形（マル）の内部領域を、青色非透過領域352で形成し、円形の図形記号の周囲を、全透過領域360で形成しているものである。
上述のように構成することにより、第１の形態で説明したものと同一の作用及び効果を奏することができる。更に、本形態では、青色ＬＥＤ331を点灯すると、表示部302には、背景色が青色となって、その中央に円形の暗色の部分が、浮かびあがる。これにより、遊技者は、「許可（ＯＫ）、進め（ＧＯ）」等の観念を想起させることができる。また、赤色ＬＥＤ332を点灯すると、表示部302には、背景色が赤色となって、その中央に三角形の暗色の部分が、浮かび上がる。これにより、遊技者は、「停止（ＳＴＯＰ）、禁止」等の観念を想起させることができる。
【０１０３】
上述した第１から第５の形態において、発光体330は、青色ＬＥＤ331と赤色ＬＥＤ332との２種類の発光体330を使用して、その２種類の色に対応する枚数の色別フィルター340を設けたり、或いは、その２種類の色に対応する数の特定色非透過領域350や特定色透過領域370を設けている。しかし、この色の種類の数は、２種類に限定されるものではなく、新たに緑色ＬＥＤを加えた３種類の発光体330を使用して、その３種類の色に対応する枚数の色別フィルター340を設けたり、或いは、その３種類の色に対応する特定色非透過領域350や特定色透過領域370を設けても良いものである。更に、発光体330の発色する色の種類の数や、その色に対応する色別フィルター340や、特定色非透過領域350や特定色透過領域370の種類の数は、３種類以上の数に設定しても良いものである。そして、かかる種類に応じた異なる標章を設けることにより、一つの状態変化スイッチ301で３種類或いは、それ以上の種類の異なる標章を、表示部302に表示することが可能となる。
【図面の簡単な説明】
【０１０４】
【図１】本発明の第１の形態であって、遊技機及びメダル貸出機を示す外観斜視図である。
【図２】本発明の第１の形態であって、メダル貸出機を示す外観側面図である。
【図３】本発明の第１の形態であって、搬送装置を示す縦断面図である。
【図４】本発明の第１の形態であって、搬送装置及びメダル投入口を示す拡大斜視図である。
【図５】本発明の第１の形態であって、状態変化スイッチの周辺を示す斜視図である。
【図６】本発明の第１の形態であって、メダル送り装置を示す外観斜視図である。
【図７】本発明の第１の形態であって、メダル送り装置を示す縦断面斜視図である。
【図８】本発明の第１の形態であって、排出機構の開閉孔を開いた状態を示す縦断面図である。
【図９】本発明の第１の形態であって、赤色ＬＥＤが発光した状態の状態変化スイッチを示す概念図である。
【図１０】本発明の第１の形態であって、青色ＬＥＤが発光した状態の状態変化スイッチを示す概念図である。
【図１１】本発明の第１の形態であって、状態変化スイッチを示す概略斜視図である。
【図１２】本発明の第１の形態であって、状態変化スイッチを示す横断面図である。
【図１３】本発明の第１の形態であって、青色ＬＥＤが発光している状態の色別フィルターを示す横断面概念図である。
【図１４】本発明の第１の形態であって、赤色ＬＥＤが発光している状態の色別フィルターを示す横断面概念図である。
【図１５】本発明の第２の形態であって、青色ＬＥＤが発光している状態の色別フィルターを示す横断面概念図である。
【図１６】本発明の第２の形態であって、赤色ＬＥＤが発光している状態の色別フィルターを示す横断面概念図である。
【図１７】本発明の第３の形態であって、青色ＬＥＤが発光している状態の色別フィルターを示す横断面概念図である。
【図１８】本発明の第３の形態であって、赤色ＬＥＤが発光している状態の色別フィルターを示す横断面概念図である。
【図１９】本発明の第４の形態であって、青色ＬＥＤが発光している状態の色別フィルターを示す横断面概念図である。
【図２０】本発明の第４の形態であって、赤色ＬＥＤが発光している状態の色別フィルターを示す横断面概念図である。
【図２１】本発明の第５の形態であって、状態変化スイッチを示す概略斜視図である。
【符号の説明】
【０１０５】
1  遊技機                              2  メダル貸出機
3  搬送装置                            4  開閉蓋
5  メダルタンク                        6  メダルセレクター
10  メダル投入口                        11  上部投入開口
12  側方移送通路                        13  前扉
14  図柄表示窓                          15  下皿
16  操作部                              20  外箱
21  紙幣投入口                          22  紙幣カウンター
23  カード投入口                        24  カードカウンター
26  貸し出しメダルホッパー              27  貸し出し円板
30  本体カバー                          31  一括投入開口
32  張り出し部                          40  メダル送り装置
41  本体ブロック                        42  払い出し通路
43  移動調整弁                          43A  回動板
43B  支持部                            43C  ストッパー
44  メダル貯め部                        45  メダル戻り部
46  ピン                                47  メダル排出部
48  受け入れ投入部                      49  キャンセル通路
50  ベルト搬送装置                      51  ローラー
51A  手前側ローラー                    51B  奥側ローラー
52  逆転ローラー                        53  ベルト
54  送出間隙                            55  駆動モータ
56  伝達手段                            58  撹拌溝
60  投入口導入路                        61  カバー部材
62  ベース部材                          62A  湾曲部
63  ヒンジ                              65  通路部
66  メダル排出口                        67  メダル受け口
68  詰まりメダル排出口                  70  払い出し部
80  排出機構                            81  ソレノイド
82  開閉板                              83  可動軸
84  固定軸                              85  開閉孔
90  メダル取り出し皿                    93  排出収納部
95  皿用ヒンジ                          100  仕切棒
200  移送部                            210  可視部
230  詰まり検知手段                    231  通過センサー
250  可動板                            251  固定板
252  突出部                            260  詰まり解除ボタン
271  落下孔                            272  立設部
280  駆動制御手段                      290  係止手段
291  係止部                            292  非係止部
293  係止解除孔                        300  押下スイッチ
301  状態変化スイッチ                  302  表示部
303  移送停止スイッチ                  304  移送開始スイッチ
310  移動体                            311  凸部
312  Ｌ字部                            313  平板部
320  支持体                            330  発光体
331  青色ＬＥＤ                        332  赤色ＬＥＤ
340  色別フィルター                    341  赤色非透過フィルター
342  青色非透過フィルター              343  赤色透過フィルター
344  青色透過フィルター                350  特定色非透過領域
351  赤色非透過領域                    352  青色非透過領域
360  全透過領域                        370  特定色透過領域
371  赤色透過領域                      372  青色透過領域
380  ばね                              390  移動体側端子金具
391  支持体側端子金具                  400  近接センサー
410  光センサー                        420  貸し出しスイッチ
430  情報表示ＬＥＤ                    440  検知表示ランプ
441  動作中表示ランプ                  442  メダル有り表示ランプ
450  リセットスイッチ
【図１】
2008206732.tif 000003
【図２】
2008206732.tif 000004
【図３】
2008206732.tif 000005
【図４】
2008206732.tif 000006
【図５】
2008206732.tif 000007
【図６】
2008206732.tif 000008
【図７】
2008206732.tif 000009
【図８】
2008206732.tif 000010
【図９】
2008206732.tif 000011
【図１０】
2008206732.tif 000012
【図１１】
2008206732.tif 000013
【図１２】
2008206732.tif 000014
【図１３】
2008206732.tif 000015
【図１４】
2008206732.tif 000016
【図１５】
2008206732.tif 000017
【図１６】
2008206732.tif 000018
【図１７】
2008206732.tif 000019
【図１８】
2008206732.tif 000020
【図１９】
2008206732.tif 000021
【図２０】
2008206732.tif 000022
【図２１】
2008206732.tif 000023